(57)【要約】  本出願の実施例は、アップリンクデータの伝送のための方法および端末機器に関する。前記方法は、ネットワーク機器によって送信された、第１のアップリンクデータの伝送をスケジューリングするために使用される第１のダウンリック制御情報（ＤＣＩ）を受信することであって、前記第１のＤＣＩは、第１の基準信号リソースセット指示情報および第１の基準信号リソース指示情報を含むことと、前記第１の基準信号リソースセット指示情報に従って、第１の基準信号リソースセットを決定することであって、前記第１の基準信号リソースセットは、少なくとも１つの基準信号リソースを含むことと、前記第１の基準信号リソース指示情報に従って、前記第１の基準信号リソースセットで少なくとも１つの第１の基準信号リソースを決定することと、前記少なくとも１つの第１の基準信号リソースに従って、前記第１のアップリンクデータの伝送に使用される伝送パラメータを決定することとを含む。本出願の実施例のアップリンクデータの伝送のための方法および端末機器は、アップリンクデータの伝送効率を向上させることができる。
2021513757.tif 000002
【特許請求の範囲】
【請求項１】
アップリンクデータの伝送のための方法であって、
ネットワーク機器によって送信された、第１のアップリンクデータの伝送をスケジューリングするために使用される第１のダウンリック制御情報（ＤＣＩ）を受信することであって、前記第１のＤＣＩは、第１の基準信号リソースセット指示情報および第１の基準信号リソース指示情報を含むことと、
前記第１の基準信号リソースセット指示情報に従って、第１の基準信号リソースセットを決定することであって、前記第１の基準信号リソースセットは、少なくとも１つの基準信号リソースを含むことと、
前記第１の基準信号リソース指示情報に従って、前記第１の基準信号リソースセットで少なくとも１つの第１の基準信号リソースを決定することと、
前記少なくとも１つの第１の基準信号リソースに従って、前記第１のアップリンクデータの伝送に使用される伝送パラメータを決定することとを含むことを特徴とする、前記アップリンクデータの伝送のための方法。
【請求項２】
前記方法は、
前記ネットワーク機器によって送信された第１の構成情報を受信することであって、前記第１の構成情報は、複数の基準信号リソースセットを指示するために使用されることをさらに含み、
前記第１の基準信号リソースセット指示情報に従って、第１の基準信号リソースセットを決定することは、
前記第１の基準信号リソースセット指示情報に従って、前記複数の基準信号リソースセットで前記第１の基準信号リソースセットを決定することを含むことを特徴とする、
請求項１に記載のアップリンクデータの伝送のための方法。
【請求項３】
前記複数の基準信号リソースセットは、複数のアンテナアレイブロックでの基準信号の伝送のために使用されることを特徴とする、
請求項２に記載のアップリンクデータの伝送のための方法。
【請求項４】
前記ネットワーク機器によって送信された第１の構成情報を受信する前に、前記方法は、
前記ネットワーク機器にアンテナアレイブロック数情報を送信することであって、前記アンテナアレイブロック数情報は、端末機器のアンテナアレイブロックの数を指示するために使用され、前記アンテナアレイブロック数情報は、前記ネットワーク機器が前記複数の基準信号リソースセットの数を決定するために使用されることをさらに含むことを特徴とする、
請求項２または３に記載のアップリンクデータの伝送のための方法。
【請求項５】
前記複数の基準信号リソースセットは、複数の位相追跡基準信号（ＰＴＲＳ）ポートに１対１で対応することを特徴とする、
請求項２に記載のアップリンクデータの伝送のための方法。
【請求項６】
前記方法は、
前記複数の基準信号リソースセットと前記複数のＰＴＲＳポートとの間の対応関係に従って、前記第１の基準信号リソースセットに対応する第１のＰＴＲＳポートを決定することと、
前記第１のアップリンクデータの伝送に使用される物理リソースで、前記第１のＰＴＲＳポートを介してアップリンクＰＴＲＳを伝送することとをさらに含むことを特徴とする、
請求項５に記載のアップリンクデータの伝送のための方法。
【請求項７】
前記方法は、
前記複数の基準信号リソースセットと複数の物理アップリンク共有チャネル（ＰＵＳＣＨ）電力制御パラメータグループとの対応関係に従って、前記第１の基準信号リソースセットに対応する第１のＰＵＳＣＨ電力制御パラメータグループを決定することをさらに含むことを特徴とする、
請求項２ないし６のいずれか一項に記載のアップリンクデータの伝送のための方法。
【請求項８】
前記方法は、
前記第１の基準信号リソース指示情報に従って、前記第１のＰＵＳＣＨ電力制御パラメータグループで前記第１のＤＣＩによって指示された、ＰＵＳＣＨ伝送に使用される電力制御パラメータを決定することをさらに含むことを特徴とする、
請求項７に記載のアップリンクデータの伝送のための方法。
【請求項９】
前記第１のアップリンクデータの伝送に使用される前記伝送パラメータは、プリコーディング行列、伝送層の数、アンテナポートの数、送信ビーム、電力制御パラメータおよびアンテナアレイブロックのうちの少なくとも１つを含むことを特徴とする、
請求項１ないし８のいずれか一項に記載のアップリンクデータの伝送のための方法。
【請求項１０】
前記少なくとも１つの第１の基準信号リソースは、サウンディング基準信号（ＳＲＳ）リソースであり、
前記少なくとも１つの第１の基準信号リソースに従って、前記第１のアップリンクデータの伝送に使用される伝送パラメータを決定することは、
前記ＳＲＳリソースのアンテナポートの数および第１のプリコーディング行列指示（ＰＭＩ）情報を決定することと、
アンテナポートの数、ＰＭＩ情報およびプリコーディング行列の間の対応関係に従って、前記ＳＲＳリソースのアンテナポートの数および前記第１のＰＭＩ情報に対応するプリコーディング行列が前記第１のアップリンクデータの伝送に使用されるプリコーディング行列であることを決定することとを含むことを特徴とする、
請求項９に記載のアップリンクデータの伝送のための方法。
【請求項１１】
前記第１のＤＣＩは前記第１のＰＭＩ情報を含むことを特徴とする、
請求項１０に記載のアップリンクデータの伝送のための方法。
【請求項１２】
前記少なくとも１つの第１の基準信号リソースは、少なくとも１つのＳＲＳリソースであり、
前記少なくとも１つの第１の基準信号リソースに従って、前記第１のアップリンクデータの伝送に使用される伝送パラメータを決定することは、
前記少なくとも１つのＳＲＳリソースのアンテナポートの総数および／または前記少なくとも１つのＳＲＳリソースの数を、前記第１のアップリンクデータの伝送の伝送層の数として決定することを含むことを特徴とする、
請求項９に記載のアップリンクデータの伝送のための方法。
【請求項１３】
前記少なくとも１つの第１の基準信号リソースはＳＲＳリソースであり、
前記少なくとも１つの第１の基準信号リソースに従って、前記第１のアップリンクデータの伝送に使用される伝送パラメータを決定することは、
前記ＳＲＳリソースにおけるＳＲＳを伝送するために使用されるプリコーディング行列を、前記第１のアップリンクデータの伝送に使用されるプリコーディング行列として決定することを含むことを特徴とする、
請求項９に記載のアップリンクデータの伝送のための方法。
【請求項１４】
前記少なくとも１つの第１の基準信号リソースはＫ個のＳＲＳリソースであり、Ｋは、前記第１のアップリンクデータの伝送に対応するデータの伝送層の数に等しく、
前記ＳＲＳリソースにおけるＳＲＳを伝送するために使用されるプリコーディング行列を、前記第１のアップリンクデータの伝送に使用されるプリコーディング行列として決定することは、
前記Ｋ個のＳＲＳリソースに使用されるＫ個のプリコーディング行列を決定することと、
前記Ｋ個のプリコーディング行列をＫ個の前記データの伝送層のプリコーディング行列として決定することであって、前記Ｋ個のプリコーディング行列はＫ個の前記データの伝送層に１対１で対応することとを含むことを特徴とする、
請求項１３に記載のアップリンクデータの伝送のための方法。
【請求項１５】
前記少なくとも１つの第１の基準信号リソースは、少なくとも１つのＳＲＳリソースであり、
前記少なくとも１つの第１の基準信号リソースに従って、前記第１のアップリンクデータの伝送に使用される伝送パラメータを決定することは、
前記少なくとも１つのＳＲＳリソースのアンテナポートの総数および／または前記少なくとも１つのＳＲＳリソースの数を前記第１のアップリンクデータの伝送に使用されるアンテナポートの数として決定することを含むことを特徴とする、
請求項９に記載のアップリンクデータの伝送のための方法。
【請求項１６】
前記少なくとも１つの第１の基準信号リソースは、チャネル状態情報基準信号（ＣＳＩ−ＲＳ）リソースであり、
前記少なくとも１つの第１の基準信号リソースに従って、前記第１のアップリンクデータの伝送に使用される伝送パラメータを決定することは、
前記ＣＳＩ−ＲＳリソースのＣＳＩ−ＲＳに従って、対応するダウンリンクチャネル情報を決定することと、
前記ダウンリンクチャネル情報をアップリンクチャネル情報として決定することと、
前記アップリンクチャネル情報に従って、前記第１のアップリンクデータの伝送に使用される送信ビームおよび／またはプリコーディング行列を決定することとを含むことを特徴とする、
請求項９に記載のアップリンクデータの伝送のための方法。
【請求項１７】
前記少なくとも１つの第１の基準信号リソースに従って、前記第１のアップリンクデータの伝送に使用される伝送パラメータを決定することは、
前記少なくとも１つの第１の基準信号リソースにおける基準信号を受信または送信するビームを、前記第１のアップリンクデータの伝送に使用されるビームとして決定することを含むことを特徴とする、
請求項９に記載のアップリンクデータの伝送のための方法。
【請求項１８】
前記少なくとも１つの第１の基準信号リソースはＫ個のＳＲＳリソースであり、Ｋは、前記第１のアップリンクデータの伝送に対応するデータの伝送層の数に等しく、
前記少なくとも１つの第１の基準信号リソースにおける基準信号を受信または送信するビームを、前記第１のアップリンクデータの伝送に使用されるビームとして決定することは、
前記Ｋ個のＳＲＳリソースにおけるＳＲＳリソースを送信することに使用されるＫ個の送信ビームを決定することと、
前記Ｋ個の送信ビームをＫ個の前記データの伝送層の送信ビームとして使用することであって、前記Ｋ個の送信ビームはＫ個のデータの伝送層に１対１で対応することとを含むことを特徴とする、
請求項１７に記載のアップリンクデータの伝送のための方法。
【請求項１９】
前記少なくとも１つの第１の基準信号リソースに従って、前記第１のアップリンクデータの伝送に使用される伝送パラメータを決定することは、
基準信号リソースと電力制御パラメータとの間の対応関係に従って、前記少なくとも１つの第１の基準信号リソースに対応する電力制御パラメータを前記第１のアップリンクデータの伝送に使用される送信電力として決定することを含むことを特徴とする、
請求項９に記載のアップリンクデータの伝送のための方法。
【請求項２０】
前記方法は、
基準信号リソース指示情報と電力制御パラメータとの間の対応関係に従って、前記第１の基準信号リソース指示情報に対応する電力制御パラメータを前記第１のアップリンクデータの伝送に使用される送信電力として決定することをさらに含むことを特徴とする、
請求項９に記載のアップリンクデータの伝送のための方法。
【請求項２１】
前記電力制御パラメータは、開ループ電力制御パラメータ、閉ループ電力制御パラメータおよびパスロス推定値のうちの少なくとも１つを含むことを特徴とする、
請求項１９または２０に記載のアップリンクデータの伝送のための方法。
【請求項２２】
前記少なくとも１つの第１の基準信号リソースに従って、前記第１のアップリンクデータの伝送に使用される伝送パラメータを決定することは、
前記少なくとも１つの第１の基準信号リソースにおける基準信号を受信または送信するアンテナアレイブロックを、前記第１のアップリンクデータの伝送に使用されるアンテナアレイブロックとして決定することを含むことを特徴とする、
請求項９に記載のアップリンクデータの伝送のための方法。
【請求項２３】
前記少なくとも１つの第１の基準信号リソースはＳＲＳリソースまたはＣＳＩ−ＲＳリソースであることを特徴とする、
請求項１７、１９、２０または２２に記載のアップリンクデータの伝送のための方法。
【請求項２４】
前記方法は、
前記第１のＤＣＩを受信する同時に、前記ネットワーク機器によって送信された第２のＤＣＩを受信することをさらに含むことを特徴とする、
請求項１ないし２３のいずれか一項に記載のアップリンクデータの伝送のための方法。
【請求項２５】
前記第２のＤＣＩは第２の基準信号リソースセット指示情報を含み、
前記方法は、
前記第２の基準信号リソースセット指示情報に従って、第２の基準信号リソースセットを決定することであって、前記第２の基準信号リソースセットは前記第１の基準信号リソースセットと異なることをさらに含むことを特徴とする、
請求項２４に記載のアップリンクデータの伝送のための方法。
【請求項２６】
前記第１のＤＣＩによってスケジューリングされた前記第１のアップリンクデータの伝送および前記第２のＤＣＩによってスケジューリングされた第２のアップリンクデータの伝送は、異なる復調基準信号（ＤＭＲＳ）ポートを使用することを特徴とする、
請求項２４に記載のアップリンクデータの伝送のための方法。
【請求項２７】
端末機器であって、
ネットワーク機器によって送信された、第１のアップリンクデータの伝送をスケジューリングするために使用される第１のダウンリック制御情報（ＤＣＩ）を受信するように構成される受信ユニットであって、前記第１のＤＣＩは、第１の基準信号リソースセット指示情報および第１の基準信号リソース指示情報を含む受信ユニットと、
前記第１の基準信号リソースセット指示情報に従って、第１の基準信号リソースセットを決定するように構成される決定ユニットであって、前記第１の基準信号リソースセットは、少なくとも１つの基準信号リソースを含む決定ユニットとを含み、
前記決定ユニットは、さらに、前記第１の基準信号リソース指示情報に従って、前記第１の基準信号リソースセットで少なくとも１つの第１の基準信号リソースを決定するように構成され、
前記決定ユニットは、さらに、前記少なくとも１つの第１の基準信号リソースに従って、前記第１のアップリンクデータの伝送に使用される伝送パラメータを決定するように構成されることを特徴とする、前記端末機器。
【請求項２８】
前記受信ユニットは、さらに、
前記ネットワーク機器によって送信された第１の構成情報を受信するように構成され、前記第１の構成情報は、複数の基準信号リソースセットを指示するために使用され、
前記決定ユニットは、具体的に、
前記第１の基準信号リソースセット指示情報に従って、前記複数の基準信号リソースセットで前記第１の基準信号リソースセットを決定するように構成されることを特徴とする、
請求項２７に記載の端末機器。
【請求項２９】
前記複数の基準信号リソースセットは、複数のアンテナアレイブロックでの基準信号の伝送のために使用されることを特徴とする、
請求項２８に記載の端末機器。
【請求項３０】
前記端末機器は、
前記受信ユニットを介して前記ネットワーク機器によって送信された第１の構成情報を受信する前に、前記ネットワーク機器にアンテナアレイブロック数情報を送信するように構成される送信ユニットをさらに含み、前記アンテナアレイブロック数情報は、端末機器のアンテナアレイブロックの数を指示するために使用され、前記アンテナアレイブロック数情報は、前記ネットワーク機器が前記複数の基準信号リソースセットの数を決定するために使用されることを特徴とする、
請求項２８または２９に記載の端末機器。
【請求項３１】
前記複数の基準信号リソースセットは、複数の位相追跡基準信号（ＰＴＲＳ）ポートに１対１で対応することを特徴とする、
請求項２８に記載の端末機器。
【請求項３２】
前記決定ユニットは、さらに、
前記複数の基準信号リソースセットと前記複数のＰＴＲＳポートとの間の対応関係に従って、前記第１の基準信号リソースセットに対応する第１のＰＴＲＳポートを決定し、
前記第１のアップリンクデータの伝送に使用される物理リソースで、前記第１のＰＴＲＳポートを介してアップリンクＰＴＲＳを伝送するように構成されることを特徴とする、
請求項３１に記載の端末機器。
【請求項３３】
前記決定ユニットは、さらに、
前記複数の基準信号リソースセットと複数の物理アップリンク共有チャネル（ＰＵＳＣＨ）電力制御パラメータグループとの対応関係に従って、前記第１の基準信号リソースセットに対応する第１のＰＵＳＣＨ電力制御パラメータグループを決定するように構成されることを特徴とする、
請求項２８ないし３２のいずれか一項に記載の端末機器。
【請求項３４】
前記決定ユニットは、さらに、
前記第１の基準信号リソース指示情報に従って、前記第１のＰＵＳＣＨ電力制御パラメータグループで前記第１のＤＣＩによって指示された、ＰＵＳＣＨ伝送に使用される電力制御パラメータを決定するように構成されることを特徴とする、
請求項３３に記載の端末機器。
【請求項３５】
前記第１のアップリンクデータの伝送に使用される前記伝送パラメータは、プリコーディング行列、伝送層の数、アンテナポートの数、送信ビーム、電力制御パラメータおよびアンテナアレイブロックのうちの少なくとも１つを含むことを特徴とする、
請求項２７ないし３４のいずれか一項に記載の端末機器。
【請求項３６】
前記少なくとも１つの第１の基準信号リソースは、サウンディング基準信号（ＳＲＳ）リソースであり、
前記決定ユニットは、具体的に、
前記ＳＲＳリソースのアンテナポートの数および第１のプリコーディング行列指示（ＰＭＩ）情報を決定し、
アンテナポートの数、ＰＭＩ情報およびプリコーディング行列の間の対応関係に従って、前記ＳＲＳリソースのアンテナポートの数および前記第１のＰＭＩ情報に対応するプリコーディング行列が前記第１のアップリンクデータの伝送に使用されるプリコーディング行列であることを決定するように構成されることを特徴とする、
請求項３５に記載の端末機器。
【請求項３７】
前記第１のＤＣＩは前記第１のＰＭＩ情報を含むことを特徴とする、
請求項３６に記載の端末機器。
【請求項３８】
前記少なくとも１つの第１の基準信号リソースは、少なくとも１つのＳＲＳリソースであり、
前記決定ユニットは、具体的に、
前記少なくとも１つのＳＲＳリソースのアンテナポートの総数および／または前記少なくとも１つのＳＲＳリソースの数を、前記第１のアップリンクデータの伝送の伝送層の数として決定するように構成されることを特徴とする、
請求項３５に記載の端末機器。
【請求項３９】
前記少なくとも１つの第１の基準信号リソースはＳＲＳリソースであり、
前記決定ユニットは、具体的に、
前記ＳＲＳリソースにおけるＳＲＳを伝送するために使用されるプリコーディング行列を、前記第１のアップリンクデータの伝送に使用されるプリコーディング行列として決定するように構成されることを特徴とする、
請求項３５に記載の端末機器。
【請求項４０】
前記少なくとも１つの第１の基準信号リソースはＫ個のＳＲＳリソースであり、Ｋは、前記第１のアップリンクデータの伝送に対応するデータの伝送層の数に等しく、
前記決定ユニットは、具体的に、
前記Ｋ個のＳＲＳリソースに使用されるＫ個のプリコーディング行列を決定し、
前記Ｋ個のプリコーディング行列をＫ個の前記データの伝送層のプリコーディング行列として決定するように構成され、前記Ｋ個のプリコーディング行列はＫ個の前記データの伝送層に１対１で対応することを特徴とする、
請求項３９に記載の端末機器。
【請求項４１】
前記少なくとも１つの第１の基準信号リソースは、少なくとも１つのＳＲＳリソースであり、
前記決定ユニットは、具体的に、
前記少なくとも１つのＳＲＳリソースのアンテナポートの総数および／または前記少なくとも１つのＳＲＳリソースの数を前記第１のアップリンクデータの伝送に使用されるアンテナポートの数として決定するように構成されることを特徴とする、
請求項３５に記載の端末機器。
【請求項４２】
前記少なくとも１つの第１の基準信号リソースは、チャネル状態情報基準信号（ＣＳＩ−ＲＳ）リソースであり、
前記決定ユニットは、具体的に、
前記ＣＳＩ−ＲＳリソースのＣＳＩ−ＲＳに従って、対応するダウンリンクチャネル情報を決定し、
前記ダウンリンクチャネル情報をアップリンクチャネル情報として決定し、
前記アップリンクチャネル情報に従って、前記第１のアップリンクデータの伝送に使用される送信ビームおよび／またはプリコーディング行列を決定するように構成されることを特徴とする、
請求項３５に記載の端末機器。
【請求項４３】
前記決定ユニットは、具体的に、
前記少なくとも１つの第１の基準信号リソースにおける基準信号を受信または送信するビームを、前記第１のアップリンクデータの伝送に使用されるビームとして決定するように構成されることを特徴とする、
請求項３５に記載の端末機器。
【請求項４４】
前記少なくとも１つの第１の基準信号リソースはＫ個のＳＲＳリソースであり、Ｋは、前記第１のアップリンクデータの伝送に対応するデータの伝送層の数に等しく、
前記決定ユニットは、具体的に、
前記Ｋ個のＳＲＳリソースにおけるＳＲＳリソースを送信するために使用されるＫ個の送信ビームを決定し、
前記Ｋ個の送信ビームをＫ個の前記データの伝送層の送信ビームとして使用するように構成され、前記Ｋ個の送信ビームはＫ個のデータの伝送層に１対１で対応することを特徴とする、
請求項４３に記載の端末機器。
【請求項４５】
前記決定ユニットは、具体的に、
基準信号リソースと電力制御パラメータとの間の対応関係に従って、前記少なくとも１つの第１の基準信号リソースに対応する電力制御パラメータを前記第１のアップリンクデータの伝送に使用される送信電力として決定するように構成されることを特徴とする、
請求項３５に記載の端末機器。
【請求項４６】
前記決定ユニットは、具体的に、
基準信号リソース指示情報と電力制御パラメータとの間の対応関係に従って、前記第１の基準信号リソース指示情報に対応する電力制御パラメータを前記第１のアップリンクデータの伝送に使用される送信電力として決定するように構成されることを特徴とする、
請求項３５に記載の端末機器。
【請求項４７】
前記電力制御パラメータは、開ループ電力制御パラメータ、閉ループ電力制御パラメータおよびパスロス推定値のうちの少なくとも１つを含むことを特徴とする、
請求項４５または４６に記載の端末機器。
【請求項４８】
前記決定ユニットは、具体的に、
前記少なくとも１つの第１の基準信号リソースにおける基準信号を受信または送信するアンテナアレイブロックを、前記第１のアップリンクデータの伝送に使用されるアンテナアレイブロックとして決定するように構成されることを特徴とする、
請求項３５に記載の端末機器。
【請求項４９】
前記少なくとも１つの第１の基準信号リソースはＳＲＳリソースまたはＣＳＩ−ＲＳリソースであることを特徴とする、
請求項４３、４５、４６または４８に記載の端末機器。
【請求項５０】
前記受信ユニットは、さらに、
前記第１のＤＣＩを受信する同時に、前記ネットワーク機器によって送信された第２のＤＣＩを受信するように構成されることを特徴とする、
請求項２７ないし４９のいずれか一項に記載の端末機器。
【請求項５１】
前記第２のＤＣＩは第２の基準信号リソースセット指示情報を含み、
前記決定ユニットは、具体的に、
前記第２の基準信号リソースセット指示情報に従って、第２の基準信号リソースセットを決定するように構成され、前記第２の基準信号リソースセットは前記第１の基準信号リソースセットと異なることを特徴とする、
請求項５０に記載の端末機器。
【請求項５２】
前記第１のＤＣＩによってスケジューリングされた前記第１のアップリンクデータの伝送および前記第２のＤＣＩによってスケジューリングされた第２のアップリンクデータの伝送は、異なる復調基準信号（ＤＭＲＳ）ポートを使用することを特徴とする、
請求項５０に記載の端末機器。
【発明の詳細な説明】
【技術分野】
【０００１】
本出願は、通信分野に関し、特に、アップリンクデータの伝送のための方法および端末機器に関する。
【背景技術】
【０００２】
ニューラジオ（ＮＲ：ｎｅｗ  ｒａｄｉｏ）システムにおいて、端末機器は、複数のアンテナアレイブロック（ｐａｎｅｌ）を使用してアップリンクデータの伝送を行うことができ、１つのｐａｎｅｌは１セットの物理アンテナを含み、各ｐａｎｅｌは独立した無線周波数チャネルを有する。端末機器は、複数のｐａｎｅｌでデータを同時に伝送することができるが、異なるｐａｎｅｌに対応するチャネル条件が異なるため、異なるｐａｎｅｌはそれぞれのチャネル情報に従って異なる伝送パラメータを使用する必要があり、例えば、異なるｐａｎｅｌは、異なるビーム、プリコーディングおよび送信電力などを有することができる。
【０００３】
これらの伝送パラメータを取得するために、異なるｐａｎｅｌに異なるチャネルサウンディング基準信号（ＳＲＳ：ｓｏｕｎｄｉｎｇ  ｒｅｆｅｒｅｎｃｅ  ｓｉｇｎａｌ）リソースセットを構成して、アップリンクチャネル情報を取得する必要がある。そうなると、端末機器が現在のデータの伝送に対応するＳＲＳリソースセットおよび使用される伝送パラメータを取得することは解決すべき課題である。
【発明の概要】
【発明が解決しようとする課題】
【０００４】
本出願は、伝送パラメータを柔軟に構成し、データの伝送の効率を向上させることができる、アップリンクデータの伝送のための方法および端末機器を提供する。
【課題を解決するための手段】
【０００５】
第１の態様によれば、アップリンクデータの伝送のための方法を提供し、前記方法は、ネットワーク機器によって送信された、第１のアップリンクデータの伝送をスケジューリングするために使用される第１のダウンリック制御情報（ＤＣＩ：ｄｏｗｎｌｉｎｋ  ｃｏｎｔｒｏｌ  ｉｎｆｏｒｍａｔｉｏｎ）を受信することであって、前記第１のＤＣＩは、第１の基準信号リソースセット指示情報および第１の基準信号リソース指示情報を含むことと、前記第１の基準信号リソースセット指示情報に従って、第１の基準信号リソースセットを決定することであって、前記第１の基準信号リソースセットは、少なくとも１つの基準信号リソースを含むことと、前記第１の基準信号リソース指示情報に従って、前記第１の基準信号リソースセットで少なくとも１つの第１の基準信号リソースを決定することと、前記少なくとも１つの第１の基準信号リソースに従って、前記第１のアップリンクデータの伝送に使用される伝送パラメータを決定することとを含む。
【０００６】
したがって、本出願の実施例のアップリンクデータの伝送のための方法によれば、端末機器は、ネットワーク機器によって送信されたＤＣＩを受信し、異なるＤＣＩを介して異なるｐａｎｅｌに対応するアップリンク伝送をスケジューリングし、異なるＤＣＩで異なるリソースセットを指示することに従って、対応するｐａｎｅｌのアップリンクチャネル情報を決定し、複数のｐａｎｅｌが独立した伝送パラメータを使用してデータの伝送を行うようにすることができ、それにより、マルチｐａｎｅｌ伝送の柔軟性およびアップリンクスペクトル効率を向上させることができる。
【０００７】
前記第１の基準信号リソースセット指示情報および第１の基準信号リソース指示情報は、独立したコーディングを使用してもよく、ジョイントコーディングを使用してもよいことを理解されたい。
【０００８】
第１の態様を参照すると、第１の態様の一実施形態において、前記方法は、前記ネットワーク機器によって送信された第１の構成情報を受信することであって、前記第１の構成情報は、複数の基準信号リソースセットを指示するために使用されることをさらに含み、前記第１の基準信号リソースセット指示情報に従って、第１の基準信号リソースセットを決定することは、前記第１の基準信号リソースセット指示情報に従って、前記複数の基準信号リソースセットで前記第１の基準信号リソースセットを決定することを含む。
【０００９】
第１の態様およびその上記の実施形態を参照すると、第１の態様の別の実施形態において、前記複数の基準信号リソースセットは、複数のアンテナアレイブロックでの基準信号の伝送のために使用される。
【００１０】
第１の態様およびその上記の実施形態を参照すると、第１の態様の別の実施形態において、前記ネットワーク機器によって送信された第１の構成情報を受信する前に、前記方法は、前記ネットワーク機器にアンテナアレイブロック数情報を送信することであって、前記アンテナアレイブロック数情報は、端末機器のアンテナアレイブロックの数を指示するために使用され、前記アンテナアレイブロック数情報は、前記ネットワーク機器が前記複数の基準信号リソースセットの数を決定するために使用されることをさらに含む。
【００１１】
第１の態様およびその上記の実施形態を参照すると、第１の態様の別の実施形態において、前記複数の基準信号リソースセットは、複数の位相追跡基準信号（ＰＴＲＳ：ｐｈａｓｅ  ｔｒａｃｋｉｎｇ  ｒｅｆｅｒｅｎｃｅ  ｓｉｇｎａｌ）ポートに１対１で対応する。
【００１２】
第１の態様およびその上記の実施形態を参照すると、第１の態様の別の実施形態において、前記方法は、前記複数の基準信号リソースセットと前記複数のＰＴＲＳポートとの間の対応関係に従って、前記第１の基準信号リソースセットに対応する第１のＰＴＲＳポートを決定することと、前記第１のアップリンクデータの伝送に使用される物理リソースで、前記第１のＰＴＲＳポートを介してアップリンクＰＴＲＳを伝送することとをさらに含む。
【００１３】
ネットワーク機器は、異なるｐａｎｅｌに対応する異なる基準信号リソースセットに異なるＰＴＲＳポートを構成し、それにより、対応するｐａｎｅｌの位相変化を追跡することができる。
【００１４】
第１の態様およびその上記の実施形態を参照すると、第１の態様の別の実施形態において、前記方法は、前記複数の基準信号リソースセットと複数の物理アップリンク共有チャネル（ＰＵＳＣＨ：ｐｈｙｓｉｃａｌ  ｕｐｌｉｎｋ  ｓｈａｒｅｄ  ｃｈａｎｎｅｌ）電力制御パラメータグループの対応関係に従って、前記第１の基準信号リソースセットに対応する第１のＰＵＳＣＨ電力制御パラメータグループを決定することをさらに含む。
【００１５】
第１の態様およびその上記の実施形態を参照すると、第１の態様の別の実施形態において、前記方法は、前記第１の基準信号リソース指示情報に従って、前記第１のＰＵＳＣＨ電力制御パラメータグループで前記第１のＤＣＩによって指示された、ＰＵＳＣＨ伝送に使用される電力制御パラメータを決定することをさらに含む。
【００１６】
ネットワーク機器は、異なるｐａｎｅｌに異なる電力制御パラメータグループを構成することができ、それにより、異なるｐａｎｅｌで伝送される信号は、電力制御を独立して実行することができる。
【００１７】
第１の態様およびその上記の実施形態を参照すると、第１の態様の別の実施形態において、前記第１の基準信号リソース指示情報は、前記少なくとも１つの第１の基準信号リソースのインデックスを含む。
【００１８】
第１の態様およびその上記の実施形態を参照すると、第１の態様の別の実施形態において、前記第１の基準信号リソース指示情報は、前記第１の基準信号リソースセットのビットマップを含み、前記ビットマップにおけるビットは、前記第１の基準信号リソースセットにおける基準信号リソースに１対１で対応する。
【００１９】
第１の態様およびその上記の実施形態を参照すると、第１の態様の別の実施形態において、前記第１のアップリンクデータの伝送に使用される前記伝送パラメータは、プリコーディング行列、伝送層の数、アンテナポートの数、送信ビーム、電力制御パラメータおよびアンテナアレイブロックのうちの少なくとも１つを含む。
【００２０】
第１の態様およびその上記の実施形態を参照すると、第１の態様の別の実施形態において、前記少なくとも１つの第１の基準信号リソースは、サウンディング基準信号（ＳＲＳ）リソースであり、前記少なくとも１つの第１の基準信号リソースに従って、前記第１のアップリンクデータの伝送に使用される伝送パラメータを決定することは、前記ＳＲＳリソースのアンテナポートの数および第１のプリコーディング行列指示（ＰＭＩ：ｐｒｅｃｏｄｉｎｇ  ｍａｔｒｉｘ  ｉｎｄｉｃａｔｏｒ）情報を決定することと、アンテナポートの数、ＰＭＩ情報およびプリコーディング行列の間の対応関係に従って、前記ＳＲＳリソースのアンテナポートの数および前記第１のＰＭＩ情報に対応するプリコーディング行列が前記第１のアップリンクデータの伝送に使用されるプリコーディング行列であることを決定することを含む。
【００２１】
第１の態様およびその上記の実施形態を参照すると、第１の態様の別の実施形態において、前記第１のＤＣＩは前記第１のＰＭＩ情報を含む。
【００２２】
したがって、前記方法に基づいて、第１のＤＣＩによってスケジューリングされた、第１のアップリンクデータの伝送に使用されるプリコーディング行列を取得して、異なるｐａｎｅｌでのデータの伝送が独立したプリコーディング行列を使用することができるようにし、それにより、アップリンクスケジューリングの柔軟性を向上させる。
【００２３】
第１の態様およびその上記の実施形態を参照すると、第１の態様の別の実施形態において、前記少なくとも１つの第１の基準信号リソースはＳＲＳリソースであり、前記少なくとも１つの第１の基準信号リソースに従って、前記第１のアップリンクデータの伝送に使用される伝送パラメータを決定することは、前記少なくとも１つのＳＲＳリソースのアンテナポートの総数および／または前記少なくとも１つのＳＲＳリソースの数を、前記第１のアップリンクデータの伝送の伝送層の数として決定することを含む。
【００２４】
第１の態様およびその上記の実施形態を参照すると、第１の態様の別の実施形態において、前記少なくとも１つの第１の基準信号リソースはＳＲＳリソースであり、前記少なくとも１つの第１の基準信号リソースに従って、前記第１のアップリンクデータの伝送に使用される伝送パラメータを決定することは、前記ＳＲＳリソースにおけるＳＲＳを伝送するために使用されるプリコーディング行列を、前記第１のアップリンクデータの伝送に使用されるプリコーディング行列として決定することを含む。
【００２５】
第１の態様およびその上記の実施形態を参照すると、第１の態様の別の実施形態において、前記少なくとも１つの第１の基準信号リソースはＫ個のＳＲＳリソースであり、Ｋは、前記第１のアップリンクデータの伝送に対応するデータの伝送層の数に等しく、前記ＳＲＳリソースにおけるＳＲＳを伝送するために使用されるプリコーディング行列を、前記第１のアップリンクデータの伝送に使用されるプリコーディング行列として決定することは、前記Ｋ個のＳＲＳリソースに使用されるＫ個のプリコーディング行列を決定することと、前記Ｋ個のプリコーディング行列をＫ個の前記データの伝送層のプリコーディング行列として決定することであって、前記Ｋ個のプリコーディング行列はＫ個の前記データの伝送層に１対１で対応することを含む。
【００２６】
したがって、異なるＳＲＳリソースに対応するアップリンク伝送は、前記ＳＲＳリソースと同じのプリコーディング行列を使用することができ、それにより、対応するデータを伝送するｐａｎｅｌのチャネル情報とマッチングする。
【００２７】
第１の態様およびその上記の実施形態を参照すると、第１の態様の別の実施形態において、前記少なくとも１つの第１の基準信号リソースは、少なくとも１つのＳＲＳリソースであり、前記少なくとも１つの第１の基準信号リソースに従って、前記第１のアップリンクデータの伝送に使用される伝送パラメータを決定することは、前記少なくとも１つのＳＲＳリソースのアンテナポートの総数および／または前記少なくとも１つのＳＲＳリソースの数を前記第１のアップリンクデータの伝送に使用されるアンテナポートの数として決定することを含む。
【００２８】
例えば、前記少なくとも１つのＳＲＳリソースが１つのＳＲＳリソースであると、端末機器は、前記１つのＳＲＳリソースのアンテナポートの数を前記第１のアップリンクデータの伝送に使用されるアンテナポートの数として使用することができる。
【００２９】
さらに例えば、前記少なくとも１つのＳＲＳリソースが複数のＳＲＳリソースであり、ここで、各ＳＲＳリソースのすべてがシングルポートのＳＲＳリソースであると、端末機器は、前記複数のＳＲＳリソースの数を、第１のアップリンクデータの伝送に使用されるアンテナポートの数として決定することができる。
【００３０】
したがって、前記方法を通じてアップリンクデータ伝送を実行するアンテナポートの数を取得して、異なるｐａｎｅｌでのデータの伝送が独立したアンテナポートの数を使用することができるようにし、それにより、アップリンクマルチｐａｎｅｌスケジューリングの柔軟性を向上させる。
【００３１】
第１の態様およびその上記の実施形態を参照すると、第１の態様の別の実施形態において、前記少なくとも１つの第１の基準信号リソースは、チャネル状態情報基準信号（ＣＳＩ−ＲＳ：ｃｈａｎｎｅｌ  ｓｔａｔｅ  ｉｎｆｏｒｍａｔｉｏｎ  ｒｅｆｅｒｅｎｃｅ  ｓｉｇｎａｌ）リソースであり、前記少なくとも１つの第１の基準信号リソースに従って、前記第１のアップリンクデータの伝送に使用される伝送パラメータを決定することは、前記ＣＳＩ−ＲＳリソースのＣＳＩ−ＲＳに従って、対応するダウンリンクチャネル情報を決定することと、前記ダウンリンクチャネル情報をアップリンクチャネル情報として決定することと、前記アップリンクチャネル情報に従って、前記第１のアップリンクデータの伝送に使用される送信ビームおよび／またはプリコーディング行列を決定することとを含む。
【００３２】
したがって、ネットワーク機器は、異なるｐａｎｅｌでのデータの伝送に異なるＣＳＩ−ＲＳリソースを構成することができ、さらに、アップリンクチャネル情報を取得して、取得したチャネル情報がより正確になるようにする。
【００３３】
第１の態様およびその上記の実施形態を参照すると、第１の態様の別の実施形態において、前記少なくとも１つの第１の基準信号リソースに従って、前記第１のアップリンクデータの伝送に使用される伝送パラメータを決定することは、前記少なくとも１つの第１の基準信号リソースにおける基準信号を受信または送信するビームを、前記第１のアップリンクデータの伝送に使用されるビームとして決定することを含む。
【００３４】
例えば、前記少なくとも１つの第１の基準信号リソースはＳＲＳリソースであり、前記端末機器は、前記ＳＲＳリソースでＳＲＳを送信するときに使用されるビームを、前記第１のアップリンクデータの伝送の送信ビームとして決定する。
【００３５】
さらに例えば、前記少なくとも１つの第１の基準信号リソースはＣＳＩ−ＲＳリソースであり、前記端末機器は、前記ＣＳＩ−ＲＳリソースでＣＳＩ−ＲＳを送信する時に使用されるビームを、前記第１のアップリンクデータの伝送の受信ビームとして決定する。
【００３６】
第１の態様およびその上記の実施形態を参照すると、第１の態様の別の実施形態において、前記少なくとも１つの第１の基準信号リソースはＫ個のＳＲＳリソースであり、Ｋは、前記第１のアップリンクデータの伝送に対応するデータの伝送層の数に等しく、前記少なくとも１つの第１の基準信号リソースにおける基準信号を受信または送信するビームを、前記第１のアップリンクデータの伝送に使用されるビームとして決定することは、前記Ｋ個のＳＲＳリソースにおけるＳＲＳリソースを送信することに使用されるＫ個の送信ビームを決定することと、前記Ｋ個の送信ビームをＫ個の前記データの伝送層の送信ビームとして使用することであって、前記Ｋ個の送信ビームはＫ個のデータの伝送層に１対１で対応することを含む。
【００３７】
したがって、異なる基準信号リソースに対応するアップリンク伝送は異なるビームを使用することができ、それにより、対応するデータを伝送するｐａｎｅｌのチャネル情報とマッチングする。
【００３８】
第１の態様およびその上記の実施形態を参照すると、第１の態様の別の実施形態において、前記少なくとも１つの第１の基準信号リソースに従って、前記第１のアップリンクデータの伝送に使用される伝送パラメータを決定することは、基準信号リソースと電力制御パラメータとの間の対応関係に従って、前記少なくとも１つの第１の基準信号リソースに対応する電力制御パラメータを前記第１のアップリンクデータの伝送に使用される送信電力として決定することを含む。
【００３９】
第１の態様およびその上記の実施形態を参照すると、第１の態様の別の実施形態において、前記方法は、基準信号リソース指示情報と電力制御パラメータとの間の対応関係に従って、前記第１の基準信号リソース指示情報に対応する電力制御パラメータを前記第１のアップリンクデータの伝送に使用される送信電力として決定することをさらに含む。
【００４０】
第１の態様およびその上記の実施形態を参照すると、第１の態様の別の実施形態において、前記電力制御パラメータは、開ループ電力制御パラメータ、閉ループ電力制御パラメータおよびパスロス推定値のうちの少なくとも１つを含む。
【００４１】
したがって、異なる基準信号リソースに対応するアップリンク伝送は異なる送信電力を使用することができ、それにより、対応するデータを伝送するｂｅａｍまたはｐａｎｅｌのチャネルのゲインとマッチングする。
【００４２】
第１の態様およびその上記の実施形態を参照すると、第１の態様の別の実施形態において、前記少なくとも１つの第１の基準信号リソースに従って、前記第１のアップリンクデータの伝送に使用される伝送パラメータを決定することは、前記少なくとも１つの第１の基準信号リソースにおける基準信号を受信または送信するアンテナアレイブロックを、前記第１のアップリンクデータの伝送に使用されるアンテナアレイブロックとして決定することを含む。
【００４３】
例えば、前記少なくとも１つの第１の基準信号リソースはＳＲＳリソースであり、端末機器は、前記ＳＲＳリソースでＳＲＳを送信するときに使用されるｐａｎｅｌを、前記第１のアップリンクデータを伝送するｐａｎｅｌとして決定する。
【００４４】
さらに例えば、前記少なくとも１つの第１の基準信号リソースはＣＳＩ−ＲＳリソースであり、端末機器は、前記ＣＳＩ−ＲＳリソースでＣＳＩ−ＲＳを受信するときに使用されるｐａｎｅｌを、前記第１のアップリンクデータを伝送するｐａｎｅｌとして決定する。
【００４５】
したがって、異なる基準信号リソースに対応するアップリンク伝送は異なるｐａｎｅｌを使用することができ、それにより、基準信号に従って好ましいｐａｎｅｌを選択してデータを伝送し、または端末の複数のｐａｎｅｌを充分に利用してデータを同時に伝送し、アップリンクの伝送性能を高めることができる。
【００４６】
第１の態様およびその上記の実施形態を参照すると、第１の態様の別の実施形態において、前記方法は、前記第１のＤＣＩを受信する同時に、前記ネットワーク機器によって送信された第２のＤＣＩを受信することをさらに含む。
【００４７】
したがって、端末は少なくとも２つのＤＣＩを同時に検出し、異なるｐａｎｅｌでのデータの伝送をそれぞれスケジューリングし、それにより、異なるｐａｎｅｌがアップリンク伝送を同時に実行することをサポートし、アップリンク伝送のスペクトル効率を向上させる。
【００４８】
第１のＤＣＩを受信する同時に第２のＤＣＩを受信することは、端末機機器が同じタイムスロット内で前記第１のＤＣＩおよび第２のＤＣＩを受信すること、または、前記端末機器が同じ直交周波数分割多重（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル内で前記第１のＤＣＩおよび第２のＤＣＩを受信すること、または前記端末機器が同じ制御チャネルで前記第１のＤＣＩおよび第２のＤＣＩを検出することを含み得る。
【００４９】
第１の態様およびその上記の実施形態を参照すると、第１の態様の別の実施形態において、前記第２のＤＣＩは第２の基準信号リソースセット指示情報を含み、前記方法は、前記第２の基準信号リソースセット指示情報に従って、第２の基準信号リソースセットを決定することであって、前記第２の基準信号リソースセットは前記第１の基準信号リソースセットと異なることをさらに含む。
【００５０】
第１の態様およびその上記の実施形態を参照すると、第１の態様の別の実施形態において、前記第１のＤＣＩによってスケジューリングされた前記第１のアップリンクデータの伝送および前記第２のＤＣＩによってスケジューリングされた第２のアップリンクデータの伝送は、異なる復調基準信号（ＤＭＲＳ：Ｄｅｍｏｄｕｌａｔｉｏｎ  Ｒｅｆｅｒｅｎｃｅ  Ｓｉｇｎａｌ）ポートを使用する。
【００５１】
したがって、本出願の実施例のアップリンクデータの伝送のための方法によれば、端末機器は、ネットワーク機器によって送信された複数のＤＣＩを受信し、異なるＤＣＩは、異なるｐａｎｅｌでのアップリンク伝送をスケジューリングするために使用され、異なるＤＣＩで異なるリソースセットを指示することに従って、対応するｐａｎｅｌのアップリンクチャネル情報を決定し、複数のｐａｎｅｌが独立した伝送パラメータを使用してデータの伝送を行うようにすることができ、それにより、マルチｐａｎｅｌ伝送の柔軟性およびアップリンクスペクトル効率を向上させることができる。
【００５２】
第２の態様によれば、前記第１の態様または第１の態様の任意の可能な実施形態における方法を実行するように構成される端末機器を提供する。具体的に、前記端末機器は、前記第１の態様または第１の態様の任意の可能な実施形態における方法を実行するように構成されるユニットを含む。
【００５３】
第３の態様によれば、記憶ユニットおよびプロセッサを含む端末機器を提供し、前記記憶ユニットは命令を記憶するように構成され、前記プロセッサは、前記メモリによって記憶された命令を実行するように構成され、前記プロセッサが前記メモリによって記憶された命令を実行するこきに、当該実行により、前記プロセッサが第１の態様または第１の態様の任意の可能な実施形態における方法を実行するようにする。
【００５４】
第４の態様によれば、コンピュータプログラムを記憶するために使用されるコンピュータ読み取り可能な媒体を提供し、前記コンピュータプログラムは、第１の態様または第１の態様の任意の可能な実施形態における方法を実行するために使用される命令を含む。
【００５５】
第５の態様によれば、命令を含むコンピュータプログラム製品を提供し、コンピュータが前記コンピュータプログラ製品の前記命令を実行するとき、前記コンピュータは第１の態様または第１の態様の任意の可能な実施形態におけるアップリンクデータの伝送のための方法を実行する。具体的に、前記コンピュータプログラムは、前記第２の態様の端末機器によって実現されることができる。
【図面の簡単な説明】
【００５６】
【図１】本出願の実施例に係る、アップリンクデータの伝送のための方法の例示的なフローチャートである。
【図２】本出願の実施例に係る端末機器の例示的なブロック図である。
【図３】本出願の実施例に係る端末機器の別の例示的なブロック図である。
【発明を実施するための形態】
【００５７】
以下、本出願の実施例における技術的解決策を図面を参照して説明する。
【００５８】
本出願の実施例の技術案は、例えば、グローバル移動通信システム（ＧＳＭ：ｇｌｏｂａｌ  ｓｙｓｔｅｍ  ｏｆ  ｍｏｂｉｌｅ  ｃｏｍｍｕｎｉｃａｔｉｏｎ）、コード分割多重アクセス（ＣＤＭＡ：ｃｏｄｅ  ｄｉｖｉｓｉｏｎ  ｍｕｌｔｉｐｌｅ  ａｃｃｅｓｓ）システム、広帯域コード分離多重アクセス（ＷＣＤＭＡ：ｗｉｄｅｂａｎｄ  ｃｏｄｅ  ｄｉｖｉｓｉｏｎ  ｍｕｌｔｉｐｌｅ  ａｃｃｅｓｓ）システム、汎用パケット無線サービス（ＧＰＲＳ：ｇｅｎｅｒａｌ  ｐａｃｋｅｔ  ｒａｄｉｏ  ｓｅｒｖｉｃｅ）、ロングタームエボリューション（ＬＴＥ：ｌｏｎｇ  ｔｅｒｍ  ｅｖｏｌｕｔｉｏｎ）システム、ＬＴＥ周波数分割複信（ＦＤＤ：ｆｒｅｑｕｅｎｃｙ  ｄｉｖｉｓｉｏｎ  ｄｕｐｌｅｘ）システム、ＬＴＥ時分割二重化（ＴＤＤ：Ｔｉｍｅ  Ｄｉｖｉｓｉｏｎ  Ｄｕｐｌｅｘ）、ユニバーサル移動通信システム（ＵＭＴＳ：ｕｎｉｖｅｒｓａｌ  ｍｏｂｉｌｅ  ｔｅｌｅｃｏｍｍｕｎｉｃａｔｉｏｎ  ｓｙｓｔｅｍ）、ワイマックス（ＷｉＭＡＸ：ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ）通信システム、将来の５Ｇシステム（５Ｇ：５ｔｈ  ｇｅｎｅｒａｔｉｏｎ）またはニューラジオ（ＮＲ：ｎｅｗ  ｒａｄｉｏ）など、様々な通信システムに適用されることができる。
【００５９】
本出願の実施例における端末機器は、ユーザ機器、アクセス端末、ユーザユニット、ユーザステーション、移動ステーション、移動局、遠隔局、遠隔端末、モバイル機器、ユーザ端末、端末、無線通信機器、ユーザエージェント、またはユーザ装置を指し得る。端末機器は、さらに携帯電話、コードレス電話、セッション開始プロトコル（ＳＩＰ：ｓｅｓｓｉｏｎ  ｉｎｉｔｉａｔｉｏｎ  ｐｒｏｔｏｃｏｌ）電話、無線ローカルループ（ＷＬＬ：ｗｉｒｅｌｅｓｓ  ｌｏｃａｌ  ｌｏｏｐ）ステーション、携帯情報端末（ＰＤＡ：ｐｅｒｓｏｎａｌ  ｄｉｇｉｔａｌ  ａｓｓｉｓｔａｎｔ）、ワイヤレス通信機能を備えたハンドヘルド機器、コンピューティング機器またはワイヤレスモデムに接続されたその他の処理機器、車載機器、ウェアラブル機器、未来５Ｇネットワークにおける端末機器または未来進化の公衆陸上移動通信網（ＰＬＭＮ：ｐｕｂｌｉｃ  ｌａｎｄ  ｍｏｂｉｌｅ  ｎｅｔｗｏｒｋ）における端末機器などであることができ、本出願の実施例はこれらに限定されない。
【００６０】
本出願の実施例におけるネットワーク機器は、端末機器と通信する機器であってもよく、前記ネットワーク機器は、ＧＳＭＣシステムまたはＣＤＭＡにおける基地局（ＢＴＳ：ｂａｓｅ  ｔｒａｎｓｃｅｉｖｅｒ  ｓｔａｔｉｏｎ）であってもよく、ＷＣＤＭＡシステムにおける基地局（ＮＢ：ＮｏｄｅＢ）であってもよく、ＬＴＥシステムにおける進化型基地局（ｅＮＢまたはｅＮｏｄｅＢ：ｅｖｏｌｕｔｉｏｎａｌ  ＮｏｄｅＢ）であってもよく、クラウド無線アクセスネットワーク（ＣＲＡＮ：ｃｌｏｕｄ  ｒａｄｉｏ  ａｃｃｅｓｓ  ｎｅｔｗｏｒｋ）シナリオでのワイヤレスコントローラであってもよく、または前記ネットワーク機器は、リレーステーション、アクセスポイント、車載機器、ウェアラブル機器および将来の５Ｇネットワークにおけるネットワーク機器または将来進化するＰＬＭＮネットワーク機器におけるネットワーク機器などであってもよく、本出願の実施例は限定されない。
【００６１】
図１は、本出願の実施例に係るアップリンクデータの伝送のための方法１００の例示的なフローチャートを示し、前記方法１００は端末機器によって実行されることができる。図１に示されたように、前記方法１００は、次のステップを含む。ステップＳ１１０において、ネットワーク機器によって送信された、第１のアップリンクデータの伝送をスケジューリングするために使用される第１のＤＣＩを受信し、前記第１のＤＣＩは、第１の基準信号リソースセット指示情報および第１の基準信号リソース指示情報を含む。ステップＳ１２０において、前記第１の基準信号リソースセット指示情報に従って、第１の基準信号リソースセットを決定し、前記第１の基準信号リソースセットは、少なくとも１つの基準信号リソースを含む。ステップＳ１３０において、前記第１の基準信号リソース指示情報に従って、前記第１の基準信号リソースセットで少なくとも１つの第１の基準信号リソース決定する。ステップＳ１４０において、前記少なくとも１つの第１の基準信号リソースに従って、前記第１のアップリンクデータの伝送に使用される伝送パラメータを決定する。
【００６２】
本出願の実施例における基準信号リソースセットは、少なくとも１つの基準信号リソースを含み得、各基準信号リソースセットは同じ機能に用いられるが、異なるセットは異なる機能を有することができることを理解されたい。同じ基準信号リソースセットでは、異なる基準信号リソースは少なくとも１つの同じのパラメータを有し、例えば、前記同じのパラメータは、電力制御パラメータ、伝送帯域幅パラメータ、アンテナポートの数、１つのタイムスロット内で占有される直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル数、１つのタイムスロット内の信号重複数、機能構成、伝送タイムスロットのうちの少なくとも１つのパラメータであり得るが、本出願の実施例はこれらに限定されない。ネットワーク側は、各基準信号リソースセットに前記同じパラメータを構成することができ、セットにおける各基準信号リソースにこれらのパラメータをそれぞれ構成する必要がないため、シグナリングオーバーヘッドを節約する。
【００６３】
本出願の実施例における基準信号リソースセットはＳＲＳリソースセットであり得、前記ＳＲＳリソースセットは少なくとも１つのＳＲＳリソースを含み、前記ＳＲＳリソースはＳＲＳを伝送するために使用され、または、基準信号リソースセットはＣＳＩ−ＲＳリソースセットであり得、前記ＣＳＩ−ＲＳリソースセットは少なくとも１つのＣＳＩ−ＲＳリソースを含み得、前記ＣＳＩ−ＲＳリソースはＣＳＩ−ＲＳを伝送するために使用されるが、本出願の実施例はこれらに限定されないことを理解されたい。
【００６４】
本出願の実施例において、ステップＳ１１０では、端末機器は、ネットワーク機器によって送信された第１のＤＣＩを受信し、前記第１のＤＣＩは、第１のアップリンクデータの伝送をスケジューリングするために使用され、前記第１のＤＣＩは、第１の基準信号リソースセット指示情報および第１の基準信号リソース指示情報を含み得、ここで、前記第１の基準信号リソースセット指示情報および第１の基準信号リソース指示情報は、独立したコーディングを使用してもよく、ジョイントコーディングを使用してもよく、本出願の実施例はこれらに限定されない。
【００６５】
ステップＳ１２０における端末機器が第１の基準信号リソースセット指示情報に従って第１の基準信号リソースセットを決定する前に、前記方法１００は、端末機器が、前記ネットワーク機器によって送信された第１の構成情報を受信することであって、前記第１の構成情報は、複数の基準信号リソースセットを指示するために使用されることをさらに含み得る。対応的に、端末機器が前記第１の基準信号リソースセット指示情報に従って、第１の基準信号リソースセットを決定することは、具体的に、前記第１の基準信号リソースセット指示情報に従って、前記複数の基準信号リソースセットで前記第１の基準信号リソースセットを決定することを含み得る。
【００６６】
本出願の実施例における端末機器は、アップリンクデータの伝送用の１つまたは複数のアンテナアレイブロック（ｐａｎｅｌ）を有し、各ｐａｎｅｌは独立した無線周波数チャネルを有することができることを理解されたい。
【００６７】
対応的に、前記複数の基準信号リソースセットは、複数のアンテナアレイブロックでの基準信号の伝送のために使用されることができ、ここで、異なる基準信号リソースセットは、異なるｐａｎｅｌでの基準信号の伝送のために使用されることができる。
【００６８】
代替的に、ネットワーク機器は、前記端末機器におけるｐａｎｅｌの数に従って、数に対応する前記複数の基準信号リソースセットを構成することができる。具体的に、前記ネットワーク機器が前記ｐａｎｅｌ数情報を受信し、前記ｐａｎｅｌ数情報に従って、前記ｐａｎｅｌの数と等しい前記複数の基準信号リソースセットの数を決定し、端末機器に前記第１の構成情報を送信し、前記第１の構成情報は、前記複数の基準信号リソースセットを指示するように、端末機器は、ネットワーク機器にｐａｎｅｌ数情報を送信することができ、前記ｐａｎｅｌ数情報は、端末機器のｐａｎｅｌの数を指示するために使用される。
【００６９】
対応的に、端末機器は、複数の基準信号リソースセットを複数のｐａｎｅｌに１対１で対応させ、即ち、端末機器が第１のＤＣＩにおける第１の基準信号リソースセット指示情報に従って指示した第１の基準信号リソースセットは対応するｐａｎｅｌの伝送を有する。
【００７０】
このように、ネットワーク機器は、異なるｐａｎｅｌのアップリンクチャネル情報を取得し、さらに前記ｐａｎｅｌでのデータの伝送をスケジューリングすることができる。
【００７１】
本出願の実施例において、前記複数の基準信号リソースセットは、複数のＰＴＲＳポートに１対１で対応することもでき、即ち、異なる基準信号リソースセットは異なるＰＴＲＳポートに対応する。具体的に、端末機器は、前記複数の基準信号リソースセットと前記複数のＰＴＲＳポートとの間の対応関係に従って、前記第１の基準信号リソースセットに対応する第１のＰＴＲＳポートを決定することができ、前記第１のアップリンクデータの伝送に使用される物理リソースで、前記第１のＰＴＲＳポートを介してアップリンクＰＴＲＳを伝送する。
【００７２】
代替的に、前記複数の基準信号リソースセットに１対１で対応する複数のＰＴＲＳポートは、ネットワーク機器がダウンリンクシグナリングを介して端末機器に構成されることができる。
【００７３】
このように、ネットワーク機器は、異なるｐａｎｅｌに対応する異なる基準信号リソースセットに異なるＰＴＲＳポートを構成することができ、それにより、対応するｐａｎｅｌの位相変化を追跡する。
【００７４】
本出願の実施例において、前記複数の基準信号リソースセットでは、異なる基準信号リソースセットは異なるＰＵＳＣＨ電力制御パラメータに対応する。具体的に、端末機器は、前記複数の基準信号リソースセットとＰＵＳＣＨ電力制御パラメータグループの対応関係に従って、前記第１の基準信号リソースセットに対応する第１のＰＵＳＣＨ電力制御パラメータグループを決定することができる。
【００７５】
さらに、前記端末機器は、前記第１の基準信号リソース指示情報に従って、前記第１のＰＵＳＣＨ電力制御パラメータグループで前記第１のＤＣＩによって指示された、ＰＵＳＣＨ伝送に使用される電力制御パラメータを決定することもできる。
【００７６】
したがって、ネットワーク機器は、異なるｐａｎｅｌに異なる電力制御パラメータグループを構成することができ、それにより、異なるｐａｎｅｌで伝送される信号は、電力制御を独立して実行することができる。
【００７７】
ステップＳ１３０において、端末機器は、第１の基準信号リソース指示情報に従って、第１の基準信号リソースセットで少なくとも１つの第１の基準信号リソースを決定する。具体的に、前記第１の基準信号リソース指示情報は、少なくとも１つの第１の基準信号リソースのインデックスを含み得、または、前記第１の基準信号リソース指示情報は、第１の基準信号リソースセットのビットマップをさらに含み得る。
【００７８】
代替的に、前記第１の基準信号リソース指示情報が１つの第１の基準信号リソースを指示すると、前記第１の基準信号リソース指示情報は、前記第１の基準信号リソースのインデックスを含み得る。具体的に、端末機器は、第１の基準信号リソースセットにおける各基準信号リソースのインデックスを決定し、第１の基準信号リソース指示情報に含まれたインデックスに従って、対応する第１の基準信号リソースを決定する。
【００７９】
代替的に、前記第１の基準信号リソース指示情報が複数の第１の基準信号リソースを指示すると、前記第１の基準信号リソース指示情報はビットマップを含み得、前記ビットマップは、前記第１の基準信号リソースセットにおける基準信号リソースに１対１で対応する。具体的に、端末機器は、前記第１の基準信号リソースセットがＮ個の基準信号リソースを含むことを決定し、前記第１の基準信号リソース指示情報におけるビットマップの長さは、前記第１の基準信号リソースセットにおける基準信号リソースの数Ｎと等しく、前記ビットマップを介して、前記Ｎ個の基準信号リソースにおけるＭ個の基準信号リソースが前記第１の基準信号リソース指示情報によって指示された少なくとも１つの第１の基準信号リソースであることを指示することができ、ＮおよびＭは正の整数であり、ＭはＮより小さいか等しい。
【００８０】
例えば、ビットマップの任意の１つのビット数が「１」である場合、選択を表し、ビット数が「０」である場合、非選択を表し、即ち、前記ビットマップを介して全てのビット数が「１」であるときに対応する基準信号リソースを取得することができ、即ち、前記ビットマップによって指示された少なくとも１つの第１の基準信号リソースである。
【００８１】
ステップＳ１４０において、端末機器は、前記少なくとも１つの第１の基準信号リソースに従って、前記第１のアップリンクデータの伝送に使用される伝送パラメータを決定し、ここで、前記第１のアップリンクデータの伝送に使用される伝送パラメータは、プリコーディング行列、伝送層の数、アンテナポートの数、送信ビーム、電力制御パラメータおよびアンテナアレイブロックのうちの少なくとも１つを含む。
【００８２】
代替的に、一実施例として、前記少なくとも１つの第１の基準信号リソースが、少なくとも１つのＳＲＳリソースであると、端末機器は、アンテナポートの数、ＰＭＩ情報およびプリコーディング行列の間の対応関係に従って、前記第１のアップリンクデータの伝送に使用されるプリコーディング行列を決定することができる。具体的に、端末機器は、前記少なくとも１つのＳＲＳリソースのアンテナポートの数および第１のＰＭＩ情報を決定し、アンテナポートの数、ＰＭＩ情報およびプリコーディング行列の間の対応関係に従って、前記少なくとも１つのＳＲＳリソースのアンテナポートの数および第１のＰＭＩ情報に対応するプリコーディング行列を前記第１のアップリンクデータの伝送に使用されるプリコーディング行列として使用する。
【００８３】
代替的に、端末機器が受信したネットワーク機器によって送信された第１のＤＣＩは前記第１のＰＭＩ情報を含み得る。
【００８４】
代替的に、前記アンテナポートの数、ＰＭＩ情報およびプリコーディング行列の間の対応関係は事前に約束されることができる。
【００８５】
代替的に、前記少なくとも１つのＳＲＳリソースのアンテナポートの数は、前記ＳＲＳを伝送するｐａｎｅｌが含むアンテナポートの数と等しい。
【００８６】
したがって、前記方法に基づいて、第１のＤＣＩによってスケジューリングされた、第１のアップリンクデータの伝送に使用されるプリコーディング行列を取得して、異なるｐａｎｅｌでのデータの伝送が独立したプリコーディング行列を使用することができるようにし、それにより、アップリンクスケジューリングの柔軟性を向上させる。
【００８７】
代替的に、一実施例として、前記少なくとも１つの第１の基準信号リソースは、少なくとも１つのＳＲＳリソースであると、端末機器は、前記少なくとも１つのＳＲＳリソースのアンテナポートの総数および／または前記少なくとも１つのＳＲＳリソースの数を、前記第１のアップリンクデータの伝送の伝送層の数として決定することができる。例えば、前記少なくとも１つのＳＲＳリソースがＫ個のＳＲＳリソースを含むと、前記第１のアップリンクデータの伝送の伝送層の数はＫである。
【００８８】
代替的に、一実施例として、前記少なくとも１つの第１の基準信号リソースが少なくとも１つのＳＲＳリソースであると、端末機器は、前記ＳＲＳリソースにおけるＳＲＳを伝送するために使用されるプリコーディング行列を、前記第１のアップリンクデータの伝送に使用されるプリコーディング行列として決定することができる。
【００８９】
具体的に、前記少なくとも１つのＳＲＳリソースがＫ個のＳＲＳリソースを含み、Ｋは前記第１のアップリンクデータの伝送に対応するデータの伝送層の数に等しい場合、端末機器は、前記Ｋ個のＳＲＳリソースによって使用されるＫ個のプリコーディング行列を決定し、前記Ｋ個のプリコーディング行列をＫ個の前記データの伝送層のプリコーディング行列としてそれぞれ決定し、前記Ｋ個のプリコーディング行列は、Ｋ個の前記データの伝送層に１対１で対応し、即ち、１つのプリコーディング行列は１つのデータの伝送層に対応する。
【００９０】
したがって、異なるＳＲＳリソースに対応するアップリンク伝送は、前記ＳＲＳリソースと同じのプリコーディング行列を使用することができ、それにより、対応するデータを伝送するｐａｎｅｌのチャネル情報とマッチングする。
【００９１】
代替的に、一実施例として、前記少なくとも１つの第１の基準信号リソースが少なくとも１つのＳＲＳリソースであると、端末機器は、前記少なくとも１つのＳＲＳリソースのアンテナポートの総数および／または前記少なくとも１つのＳＲＳリソースの数を前記第１のアップリンクデータの伝送に使用されるアンテナポートの数として決定する。
【００９２】
例えば、前記少なくとも１つのＳＲＳリソースが１つのＳＲＳリソースであると、端末機器は、前記１つのＳＲＳリソースのアンテナポートの数を前記第１のアップリンクデータの伝送に使用されるアンテナポートの数として使用することができる。
【００９３】
さらに例えば、前記少なくとも１つのＳＲＳリソースが複数のＳＲＳリソースであり、ここで、各ＳＲＳリソースのすべてがシングルポートのＳＲＳリソースであると、端末機器は、前記複数のＳＲＳリソースの数を、第１のアップリンクデータの伝送に使用されるアンテナポートの数として決定することができる。
【００９４】
代替的に、コードブックベースの伝送に対して、端末機器は、前記第１のアップリンクデータの伝送に使用されるアンテナポートの数に基づいて対応するコードブックを決定することもでき、非コードブックベースの伝送に対して、端末機器は、前記アンテナポートの数に従って、対応するアップリンクデータ的伝送層の数を決定することができる。
【００９５】
したがって、前記方法を通じてアップリンクデータの伝送を実行するアンテナポートの数を取得して、異なるｐａｎｅｌでのデータの伝送が独立したアンテナポートの数を使用することができるようにし、それにより、アップリンクマルチｐａｎｅｌスケジューリングの柔軟性を向上させる。
【００９６】
代替的に、一実施例として、前記少なくとも１つの第１の基準信号リソースがＣＳＩ−ＲＳリソースであると、端末機器は、前記ＣＳＩ−ＲＳリソースのＣＳＩ−ＲＳに従って、対応するダウンリンクチャネル情報を決定し、前記ダウンリンクチャネル情報をアップリンクチャネル情報として決定し、前記アップリンクチャネル情報に従って、前記第１のアップリンクデータの伝送に使用される送信ビームおよび／またはプリコーディング行列を決定する。
【００９７】
具体的に、端末機器は、前記ＣＳＩ−ＲＳリソースのＣＳＩ−ＲＳに従って、対応するダウンリンクチャネル情報を決定し、チャネルレシプロシティに基づいて、端末機器は、前記ダウンリンクチャネル情報をアップリンクチャネル情報として使用し、さらに、前記アップリンクチャネル情報に従って、前記第１のアップリンクデータの伝送に使用される送信ビームおよび／またはプリコーディング行列を決定することができる。
【００９８】
したがって、ネットワーク機器は、異なるｐａｎｅｌでのデータの伝送に異なるＣＳＩ−ＲＳリソースを構成することができ、さらに、アップリンクチャネル情報を取得して、取得したチャネル情報がより正確になるようにする。
【００９９】
代替的に、一実施例として、前記端末機器は、前記少なくとも１つの第１の基準信号リソースにおける基準信号を受信または送信するビームを、前記第１のアップリンクデータの伝送に使用されるビームとして決定することができる。
【０１００】
例えば、前記少なくとも１つの第１の基準信号リソースはＳＲＳリソースであり、前記端末機器は、前記ＳＲＳリソースでＳＲＳを送信するときに使用されるビームを、前記第１のアップリンクデータの伝送の送信ビームとして決定する。
【０１０１】
さらに例えば、前記少なくとも１つの第１の基準信号リソースはＣＳＩ−ＲＳリソースであり、前記端末機器は、前記ＣＳＩ−ＲＳリソースでＣＳＩ−ＲＳを送信する時に使用されるビームを、前記第１のアップリンクデータの伝送の受信ビームとして決定する。
【０１０２】
さらに例えば、前記少なくとも１つの第１の基準信号リソースはＫ個のＳＲＳリソースであり、Ｋは前記第１のアップリンクデータの伝送に対応するデータの伝送層の数に等しく、端末機器は、前記Ｋ個のＳＲＳリソースにおけるＳＲＳリソースを送信するときに使用されるＫ個の送信ビームを決定し、前記Ｋ個の送信ビームをＫ個の前記データの伝送層の送信ビームとして使用し、前記Ｋ個の送信ビームはＫ個のデータの伝送層に１対１で対応する。
【０１０３】
したがって、異なる基準信号リソースに対応するアップリンク伝送は異なるビームを使用することができ、それにより、対応するデータを伝送するｐａｎｅｌのチャネル情報とマッチングする。
【０１０４】
代替的に、一実施例として、前記端末機器は、基準信号リソースと電力制御パラメータとの間の対応関係に従って、前記少なくとも１つの第１の基準信号リソースに対応する電力制御パラメータを前記第１のアップリンクデータの伝送に使用される送信電力として決定することができる。
【０１０５】
または、前記端末機器は、基準信号リソース指示情報と電力制御パラメータとの間の対応関係に従って、前記第１の基準信号リソース指示情報に対応する電力制御パラメータを前記第１のアップリンクデータの伝送に使用される送信電力として決定することもできる。
【０１０６】
前記基準信号リソースはＳＲＳリソースであってもよく、前記ＳＲＳリソースと電力制御パラメータとの間の対応関係、および／または、前記ＳＲＳリソース指示（ＳＲＳ  Ｒｅｓｏｕｒｃｅ  Ｉｎｄｉｃａｔｏｒ）ＳＲＩと電力制御パラメータとの間の対応関係は、ネットワーク機器が前記端末機器に事前に構成されてもよく、本出願の実施例はこれらに限定されないことを理解されたい。
【０１０７】
前記電力制御パラメータは、開ループ電力制御パラメータ、閉ループ電力制御パラメータおよびパスロス推定値のうちの少なくとも１つを含み得ることを理解されたい。
【０１０８】
したがって、異なる基準信号リソースに対応するアップリンク伝送は異なる送信電力を使用することができ、それにより、対応するデータを伝送するｂｅａｍまたはｐａｎｅｌのチャネルのゲインとマッチングする。
【０１０９】
代替的に、一実施例として、前記端末機器は、前記少なくとも１つの第１の基準信号リソースにおける基準信号を受信または送信するｐａｎｅｌを、前記第１のアップリンクデータの伝送に使用されるｐａｎｅｌとして決定することができる。
【０１１０】
例えば、前記少なくとも１つの第１の基準信号リソースはＳＲＳリソースであり、端末機器は、前記ＳＲＳリソースでＳＲＳを送信するときに使用されるｐａｎｅｌを、前記第１のアップリンクデータを伝送するｐａｎｅｌとして決定する。
【０１１１】
さらに例えば、前記少なくとも１つの第１の基準信号リソースはＣＳＩ−ＲＳリソースであり、端末機器は、前記ＣＳＩ−ＲＳリソースでＣＳＩ−ＲＳを受信するときに使用されるｐａｎｅｌを、前記第１のアップリンクデータを伝送するｐａｎｅｌとして決定する。
【０１１２】
したがって、異なる基準信号リソースに対応するアップリンク伝送は異なるｐａｎｅｌを使用することができ、それにより、基準信号に従って好ましいｐａｎｅｌを選択してデータを伝送し、または端末の複数のｐａｎｅｌを充分に利用してデータを同時に伝送し、アップリンクの伝送性能を高めることができる。
【０１１３】
本出願の実施例において、前記方法１００は、前記第１のＤＣＩを受信する同時に、前記ネットワーク機器によって送信された第２のＤＣＩを受信することであって、即ち、端末機器は、少なくとも２つのＤＣＩを同時に受信し、前記少なくとも２つのＤＣＩは第１のＤＣＩおよび第２のＤＣＩを含むことをさらに含み得る。
【０１１４】
したがって、端末は少なくとも２つのＤＣＩを同時に検出し、異なるｐａｎｅｌでのデータの伝送をそれぞれスケジューリングし、それにより、異なるｐａｎｅｌがアップリンク伝送を同時に実行することをサポートし、アップリンク伝送のスペクトル効率を向上させる。
【０１１５】
第１のＤＣＩを受信する同時に第２のＤＣＩを受信することは、端末機器が、同じタイムスロット内で前記第１のＤＣＩおよび第２のＤＣＩを受信すること、または、前記端末機器が、同じＯＦＤＭシンボル内で前記第１のＤＣＩおよび第２のＤＣＩを受信すること、または前記端末機器が、同じ制御チャネルで前記第１のＤＣＩおよび第２のＤＣＩを検出することを含み得、本出願の実施例はこれらに限定されないことを理解されたい。
【０１１６】
前記第２のＤＣＩは第２の基準信号リソースセット指示情報を含み、対応的に、前記方法１００は、端末機器が、前記第２の基準信号リソースセット指示情報に従って、第２の基準信号リソースセットを決定することであって、前記第２の基準信号リソースセットは前記第１の基準信号リソースセットと異なることをさらに含むことを理解されたい。
【０１１７】
本出願の実施例において、１つのＤＭＲＳポートグループは１つのｐａｎｅｌに対応することができ、１つのｐａｎｅｌは複数のＤＭＲＳポートに対応することができ、端末機器は、１つのｐａｎｅｌの伝送パラメータを決定した後、このアンテナアレイブロックで対応するＤＭＲＳポートグループのデータを伝送することができる。対応的に、端末機器が、前記第１のＤＣＩを介してスケジューリングした前記第１のアップリンクデータの伝送および前記第２のＤＣＩを介してスケジューリングした第２のアップリンクデータの伝送は異なるＤＭＲＳポートを使用することができる。
【０１１８】
例えば、第１のＤＣＩは第１のアップリンク伝送をスケジューリングし、第１のアップリンク伝送はＤＭＲＳポート０およびポート１を使用し、第２のＤＣＩは第２のアップリンク伝送をスケジューリングし、第２のアップリンク伝送はＤＭＲＳポート２およびポート３を使用する。
【０１１９】
したがって、本出願の実施例のアップリンクデータの伝送のための方法によれば、端末機器は、ネットワーク機器によって送信された複数のＤＣＩを受信し、異なるＤＣＩは、異なるｐａｎｅｌでのアップリンク伝送をスケジューリングするために使用され、異なるＤＣＩで異なるリソースセットを指示することに従って、対応するｐａｎｅｌのアップリンクチャネル情報を決定し、複数のｐａｎｅｌが独立した伝送パラメータを使用してデータの伝送を行うようにすることができ、それにより、マルチｐａｎｅｌ伝送の柔軟性およびアップリンクスペクトル効率を向上させることができる。
【０１２０】
本出願の様々な実施例において、前記各プロセスの番号の大きさは実行する前後順番を意味せず、各プロセスの実行順番は、その機能と内部論理によって決定されるべきであり、本出願の実施例の実施プロセスに対してあらゆる制限を構成してはならないことを理解されたい。
【０１２１】
さらに、本明細書における「および／または」という用語は、関連付けられたオブジェクトを説明する単なる関連付けであり、３種類の関係が存在することができることを示し、例えば、Ａおよび／またはＢは、Ａが独立で存在する場合、ＡとＢが同時に存在する場合、Ｂが独立で存在する場合など３つの場合を表す。さらに、本明細書における文字「／」は、一般的に、コンテキストオブジェクトが「または」の関係であることを示す。
【０１２２】
以上は、図１を参照して、本出願の実施例に係るアップリンクデータの伝送のための方法を詳細に説明し、以下は、図２ないし図３を参照して、本出願の実施例に係る端末機器を説明する。
【０１２３】
図２に示されたように、本出願の実施例に係る端末機器２００は、受信ユニット２１０および決定ユニット２２０を含み、代替的に、送信ユニット２３０をさらに含み得る。
【０１２４】
具体的に、前記受信ユニット２１０は、ネットワーク機器によって送信された、第１のアップリンクデータの伝送をスケジューリングするために使用される第１のダウンリック制御情報（ＤＣＩ）を受信するように構成され、前記第１のＤＣＩは、第１の基準信号リソースセット指示情報および第１の基準信号リソース指示情報を含み、前記決定ユニット２２０は、前記第１の基準信号リソースセット指示情報に従って、第１の基準信号リソースセットを決定するように構成され、前記第１の基準信号リソースセットは、少なくとも１つの基準信号リソースを含み、前記決定ユニット２２０は、さらに、前記第１の基準信号リソース指示情報に従って、前記第１の基準信号リソースセットで少なくとも１つの第１の基準信号リソースを決定するように構成され、前記決定ユニット２２０は、さらに、前記少なくとも１つの第１の基準信号リソースに従って、前記第１のアップリンクデータの伝送に使用される伝送パラメータを決定するように構成される。
【０１２５】
代替的に、前記受信ユニット２１０は、さらに、前記ネットワーク機器によって送信された第１の構成情報を受信するように構成され、前記第１の構成情報は、複数の基準信号リソースセットを指示するために使用され、前記決定ユニット２２０は、具体的に、前記第１の基準信号リソースセット指示情報に従って、前記複数の基準信号リソースセットで前記第１の基準信号リソースセットを決定するように構成される。
【０１２６】
代替的に、前記複数の基準信号リソースセットは、複数のアンテナアレイブロックでの基準信号の伝送のために使用される。
【０１２７】
代替的に、前記送信ユニット２３０は、前記受信ユニット２１０を介して前記ネットワーク機器によって送信された第１の構成情報を受信する前に、前記ネットワーク機器にアンテナアレイブロック数情報を送信するように構成され、前記アンテナアレイブロック数情報は、端末機器のアンテナアレイブロックの数を指示するために使用され、前記アンテナアレイブロック数情報は、前記ネットワーク機器が前記複数の基準信号リソースセットの数を決定するために使用される。
【０１２８】
代替的に、前記複数の基準信号リソースセットは、複数の位相追跡基準信号（ＰＴＲＳ）ポートに１対１で対応する。
【０１２９】
代替的に、前記決定ユニット２２０は、さらに、前記複数の基準信号リソースセットと前記複数のＰＴＲＳポートとの間の対応関係に従って、前記第１の基準信号リソースセットに対応する第１のＰＴＲＳポートを決定し、前記第１のアップリンクデータの伝送に使用される物理リソースで、前記第１のＰＴＲＳポートを介してアップリンクＰＴＲＳを伝送するように構成される。
【０１３０】
代替的に、前記決定ユニット２２０は、さらに、前記複数の基準信号リソースセットと複数の物理アップリンク共有チャネル（ＰＵＳＣＨ）電力制御パラメータグループとの対応関係に従って、前記第１の基準信号リソースセットに対応する第１のＰＵＳＣＨ電力制御パラメータグループを決定するように構成される。
【０１３１】
代替的に、前記決定ユニット２２０は、さらに、前記第１の基準信号リソース指示情報に従って、前記第１のＰＵＳＣＨ電力制御パラメータグループで前記第１のＤＣＩによって指示された、ＰＵＳＣＨ伝送に使用される電力制御パラメータを決定するように構成される。
【０１３２】
代替的に、前記第１のアップリンクデータの伝送に使用される前記伝送パラメータは、プリコーディング行列、伝送層の数、アンテナポートの数、送信ビーム、電力制御パラメータおよびアンテナアレイブロックのうちの少なくとも１つを含む。
【０１３３】
代替的に、前記少なくとも１つの第１の基準信号リソースはＳＲＳリソースであり、前記決定ユニット２２０は、具体的に、前記ＳＲＳリソースのアンテナポートの数および第１のＰＭＩ情報を決定し、アンテナポートの数、ＰＭＩ情報およびプリコーディング行列の間の対応関係に従って、前記ＳＲＳリソースのアンテナポートの数および前記第１のＰＭＩ情報に対応するプリコーディング行列が前記第１のアップリンクデータの伝送に使用されるプリコーディング行列であることを決定するように構成される。
【０１３４】
代替的に、前記第１のＤＣＩは前記第１のＰＭＩ情報を含む。
【０１３５】
代替的に、前記少なくとも１つの第１の基準信号リソースはＳＲＳリソースであり、前記決定ユニット２２０は、具体的に、前記少なくとも１つのＳＲＳリソースのアンテナポートの総数および／または前記少なくとも１つのＳＲＳリソースの数を、前記第１のアップリンクデータの伝送の伝送層の数として決定するように構成される。
【０１３６】
代替的に、前記少なくとも１つの第１の基準信号リソースはＳＲＳリソースであり、前記決定ユニット２２０は、具体的に、前記ＳＲＳリソースにおけるＳＲＳを伝送するために使用されるプリコーディング行列を、前記第１のアップリンクデータの伝送に使用されるプリコーディング行列として決定するように構成される。
【０１３７】
代替的に、前記少なくとも１つの第１の基準信号リソースはＫ個のＳＲＳリソースであり、Ｋは前記第１のアップリンクデータの伝送に対応するデータの伝送層の数に等しく、前記決定ユニット２２０は、具体的に、前記Ｋ個のＳＲＳリソースに使用されるＫ個のプリコーディング行列を決定し、前記Ｋ個のプリコーディング行列をＫ個の前記データの伝送層のプリコーディング行列として決定するように構成され、前記Ｋ個のプリコーディング行列はＫ個の前記データの伝送層に１対１で対応する。
【０１３８】
代替的に、前記少なくとも１つの第１の基準信号リソースは、少なくとも１つのＳＲＳリソースであり、前記決定ユニット２２０は、具体的に、前記少なくとも１つのＳＲＳリソースのアンテナポートの総数および／または前記少なくとも１つのＳＲＳリソースの数を前記第１のアップリンクデータの伝送に使用されるアンテナポートの数として決定するように構成される。
【０１３９】
代替的に、前記少なくとも１つの第１の基準信号リソースはＣＳＩ−ＲＳリソースであり、前記決定ユニット２２０は、具体的に、前記ＣＳＩ−ＲＳリソースのＣＳＩ−ＲＳに従って、対応するダウンリンクチャネル情報を決定し、前記ダウンリンクチャネル情報をアップリンクチャネル情報として決定し、前記アップリンクチャネル情報に従って、前記第１のアップリンクデータの伝送に使用される送信ビームおよび／またはプリコーディング行列を決定するように構成される。
【０１４０】
代替的に、前記決定ユニット２２０は、具体的に、前記少なくとも１つの第１の基準信号リソースにおける基準信号を受信または送信するビームを、前記第１のアップリンクデータの伝送に使用されるビームとして決定するように構成される。
【０１４１】
代替的に、前記少なくとも１つの第１の基準信号リソースはＫ個のＳＲＳリソースであり、Ｋは前記第１のアップリンクデータの伝送に対応するデータの伝送層の数に等しく、前記決定ユニット２２０は、具体的に、前記Ｋ個のＳＲＳリソースにおけるＳＲＳリソースを送信するために使用されるＫ個の送信ビームを決定し、前記Ｋ個の送信ビームをＫ個の前記データの伝送層の送信ビームとして使用するように構成され、前記Ｋ個の送信ビームはＫ個のデータの伝送層に１対１で対応する。
【０１４２】
代替的に、前記決定ユニット２２０は、具体的に、基準信号リソースと電力制御パラメータとの間の対応関係に従って、前記少なくとも１つの第１の基準信号リソースに対応する電力制御パラメータを前記第１のアップリンクデータの伝送に使用される送信電力として使用するように構成される。
【０１４３】
代替的に、前記決定ユニット２２０は、具体的に、基準信号リソース指示情報と電力制御パラメータとの間の対応関係に従って、前記第１の基準信号リソース指示情報に対応する電力制御パラメータを前記第１のアップリンクデータの伝送に使用される送信電力として決定するように構成される。
【０１４４】
代替的に、前記電力制御パラメータは、開ループ電力制御パラメータ、閉ループ電力制御パラメータおよびパスロス推定値のうちの少なくとも１つを含む。
【０１４５】
代替的に、前記決定ユニット２２０は、具体的に、前記少なくとも１つの第１の基準信号リソースにおける基準信号を受信または送信するアンテナアレイブロックを、前記第１のアップリンクデータの伝送に使用されるアンテナアレイブロックとして決定するように構成される。
【０１４６】
代替的に、前記少なくとも１つの第１の基準信号リソースはＳＲＳリソースまたはＣＳＩ−ＲＳリソースである。
【０１４７】
代替的に、前記受信ユニット２１０は、さらに、前記第１のＤＣＩを受信する同時に、前記ネットワーク機器によって送信された第２のＤＣＩを受信するように構成される。
【０１４８】
代替的に、前記第２のＤＣＩは第２の基準信号リソースセット指示情報を含み、前記決定ユニット２２０は、具体的に、前記第２の基準信号リソースセット指示情報に従って、第２の基準信号リソースセットを決定するように構成され、前記第２の基準信号リソースセットは前記第１の基準信号リソースセットと異なる。
【０１４９】
代替的に、前記第１のＤＣＩによってスケジューリングされた前記第１のアップリンクデータの伝送および前記第２のＤＣＩによってスケジューリングされた第２のアップリンクデータの伝送は異なるＤＭＲＳポートを使用する。本出願の実施例に係る端末機器２００は、本出願の実施例における方法１００を実行することに対応することができ、端末機器２００における各ユニットの上記の操作および他の操作および／または機能は、それぞれ図１における各方法の端末機器の対応するプロセスを実現するためであり、簡潔のために、ここでは繰り返さないことを理解されたい。
【０１５０】
したがって、本出願の実施例の端末機器は、ネットワーク機器によって送信された複数のＤＣＩを受信し、異なるＤＣＩは、異なるｐａｎｅｌでのアップリンク伝送をスケジューリングするために使用され、異なるＤＣＩで異なるリソースセットを指示することに従って、対応するｐａｎｅｌのアップリンクチャネル情報を決定し、複数のｐａｎｅｌが独立した伝送パラメータを使用してデータの伝送を行うようにすることができ、それにより、マルチｐａｎｅｌ伝送の柔軟性およびアップリンクスペクトル効率を向上させることができる。
【０１５１】
図３は、本出願の実施例に係る端末機器３００の例示的なブロック図を示し、図３に示されたように、前記端末機器３００は、プロセッサ３１０およびトランシーバ３２０を含み、プロセッサ３１０はトランシーバ３２０に接続し、代替的に、前記端末機器３００はメモリ３３０をさらに含み、メモリ３３０はプロセッサ３１０に接続する。ここで、プロセッサ３１０、メモリ３３０およびトランシーバ３２０の間は、内部接続パスを介して互いに通信し、データ信号を転送および／または制御し、前記メモリ３３０は命令を記憶するように構成されることができ、前記プロセッサ３１０は、前記メモリ３３０によって記憶された命令を実行するように構成され、前記トランシーバ３２０は、ネットワーク機器によって送信された、第１のアップリンクデータの伝送をスケジューリングするために使用される第１のダウンリック制御情報（ＤＣＩ）を受信するように構成され、前記第１のＤＣＩは、第１の基準信号リソースセット指示情報および第１の基準信号リソース指示情報を含み、前記プロセッサ３１０は、前記第１の基準信号リソースセット指示情報に従って、第１の基準信号リソースセットを決定するように構成され、前記第１の基準信号リソースセットは、少なくとも１つの基準信号リソースを含み、前記プロセッサ３１０は、前記第１の基準信号リソース指示情報に従って、前記第１の基準信号リソースセットで少なくとも１つの第１の基準信号リソースを決定するように構成され、前記プロセッサ３１０は、前記少なくとも１つの第１の基準信号リソースに従って、前記第１のアップリンクデータの伝送に使用される伝送パラメータを決定するように構成される。
【０１５２】
代替的に、一実施例として、前記トランシーバ３２０は、前記ネットワーク機器によって送信された第１の構成情報を受信するように構成され、前記第１の構成情報は、複数の基準信号リソースセットを指示するために使用され、前記プロセッサ３１０は、前記第１の基準信号リソースセット指示情報に従って、前記複数の基準信号リソースセットで前記第１の基準信号リソースセットを決定するように構成される。
【０１５３】
代替的に、一実施例として、前記複数の基準信号リソースセットは、複数のアンテナアレイブロックでの基準信号の伝送のために使用される。
【０１５４】
代替的に、一実施例として、前記トランシーバ３２０は、前記ネットワーク機器によって送信された第１の構成情報を受信する前に、前記ネットワーク機器にアンテナアレイブロック数情報を送信するように構成され、前記アンテナアレイブロック数情報は、端末機器のアンテナアレイブロックの数を指示するために使用され、前記アンテナアレイブロック数情報は、前記ネットワーク機器が前記複数の基準信号リソースセットの数を決定するために使用される。
【０１５５】
代替的に、一実施例として、前記複数の基準信号リソースセットは、複数の位相追跡基準信号（ＰＴＲＳ）ポートに１対１で対応する。
【０１５６】
代替的に、一実施例として、前記プロセッサ３１０は、前記複数の基準信号リソースセットと前記複数のＰＴＲＳポートとの間の対応関係に従って、前記第１の基準信号リソースセットに対応する第１のＰＴＲＳポートを決定し、前記第１のアップリンクデータの伝送に使用される物理リソースで、前記第１のＰＴＲＳポートを介してアップリンクＰＴＲＳを伝送するように構成される。
【０１５７】
代替的に、一実施例として、前記プロセッサ３１０は、前記複数の基準信号リソースセットと複数の物理アップリンク共有チャネル（ＰＵＳＣＨ）電力制御パラメータグループとの対応関係に従って、前記第１の基準信号リソースセットに対応する第１のＰＵＳＣＨ電力制御パラメータグループを決定するように構成される。
【０１５８】
代替的に、一実施例として、前記プロセッサ３１０は、前記第１の基準信号リソース指示情報に従って、前記第１のＰＵＳＣＨ電力制御パラメータグループで前記第１のＤＣＩによって指示された、ＰＵＳＣＨ伝送に使用される電力制御パラメータを決定するように構成される。
【０１５９】
代替的に、一実施例として、前記第１のアップリンクデータの伝送に使用される前記伝送パラメータは、プリコーディング行列、伝送層の数、アンテナポートの数、送信ビーム、電力制御パラメータおよびアンテナアレイブロックのうちの少なくとも１つを含む。
【０１６０】
代替的に、一実施例として、前記少なくとも１つの第１の基準信号リソースは、サウンディング基準信号（ＳＲＳ）リソースであり、前記プロセッサ３１０は、前記ＳＲＳリソースのアンテナポートの数および第１のプリコーディング行列指示（ＰＭＩ）情報を決定し、アンテナポートの数、ＰＭＩ情報およびプリコーディング行列の間の対応関係に従って、前記ＳＲＳリソースのアンテナポートの数および前記第１のＰＭＩ情報に対応するプリコーディング行列が前記第１のアップリンクデータの伝送に使用されるプリコーディング行列であることを決定するように構成される。
【０１６１】
代替的に、一実施例として、前記第１のＤＣＩは前記第１のＰＭＩ情報を含む。
【０１６２】
代替的に、一実施例として、前記少なくとも１つの第１の基準信号リソースはＳＲＳリソースであり、前記プロセッサ３１０は、前記少なくとも１つのＳＲＳリソースのアンテナポートの総数および／または前記少なくとも１つのＳＲＳリソースの数を、前記第１のアップリンクデータの伝送の伝送層の数として決定するように構成される。
【０１６３】
代替的に、一実施例として、前記少なくとも１つの第１の基準信号リソースはＳＲＳリソースであり、前記プロセッサ３１０は、前記ＳＲＳリソースにおけるＳＲＳを伝送するために使用されるプリコーディング行列を、前記第１のアップリンクデータの伝送に使用されるプリコーディング行列として決定するように構成される。
【０１６４】
代替的に、一実施例として、前記少なくとも１つの第１の基準信号リソースはＫ個のＳＲＳリソースであり、Ｋは前記第１のアップリンクデータの伝送に対応するデータの伝送層の数に等しく、前記プロセッサ３１０は、前記Ｋ個のＳＲＳリソースに使用されるＫ個のプリコーディング行列を決定し、前記Ｋ個のプリコーディング行列をＫ個の前記データの伝送層のプリコーディング行列として決定するように構成され、前記Ｋ個のプリコーディング行列はＫ個の前記データの伝送層に１対１で対応する。
【０１６５】
代替的に、一実施例として、前記少なくとも１つの第１の基準信号リソースは、少なくとも１つのＳＲＳリソースであり、前記プロセッサ３１０は、前記少なくとも１つのＳＲＳリソースのアンテナポートの総数および／または前記少なくとも１つのＳＲＳリソースの数を前記第１のアップリンクデータの伝送に使用されるアンテナポートの数として決定するように構成される。
【０１６６】
代替的に、一実施例として、前記少なくとも１つの第１の基準信号リソースはＣＳＩ−ＲＳリソースであり、前記プロセッサ３１０は、前記ＣＳＩ−ＲＳリソースのＣＳＩ−ＲＳに従って、対応するダウンリンクチャネル情報を決定し、前記ダウンリンクチャネル情報をアップリンクチャネル情報として決定し、前記アップリンクチャネル情報に従って、前記第１のアップリンクデータの伝送に使用される送信ビームおよび／またはプリコーディング行列を決定するように構成される。
【０１６７】
代替的に、一実施例として、前記プロセッサ３１０は、前記少なくとも１つの第１の基準信号リソースにおける基準信号を受信または送信するビームを、前記第１のアップリンクデータの伝送に使用されるビームとして決定するように構成される。
【０１６８】
代替的に、一実施例として、前記少なくとも１つの第１の基準信号リソースはＫ個のＳＲＳリソースであり、Ｋは前記第１のアップリンクデータの伝送に対応するデータの伝送層の数に等しく、前記プロセッサ３１０は、前記Ｋ個のＳＲＳリソースにおけるＳＲＳリソースを送信するために使用されるＫ個の送信ビームを決定し、前記Ｋ個の送信ビームをＫ個の前記データの伝送層の送信ビームとして使用するように構成され、前記Ｋ個の送信ビームはＫ個のデータの伝送層に１対１で対応する。
【０１６９】
代替的に、一実施例として、前記プロセッサ３１０は、基準信号リソースと電力制御パラメータとの間の対応関係に従って、前記少なくとも１つの第１の基準信号リソースに対応する電力制御パラメータを前記第１のアップリンクデータの伝送に使用される送信電力として決定するように構成される。
【０１７０】
代替的に、一実施例として、前記プロセッサ３１０は、基準信号リソース指示情報と電力制御パラメータとの間の対応関係に従って、前記第１の基準信号リソース指示情報に対応する電力制御パラメータを前記第１のアップリンクデータの伝送に使用される送信電力として決定するように構成される。
【０１７１】
代替的に、一実施例として、前記電力制御パラメータは、開ループ電力制御パラメータ、閉ループ電力制御パラメータおよびパスロス推定値のうちの少なくとも１つを含む。
【０１７２】
代替的に、一実施例として、前記プロセッサ３１０は、前記少なくとも１つの第１の基準信号リソースにおける基準信号を受信または送信するアンテナアレイブロックを、前記第１のアップリンクデータの伝送に使用されるアンテナアレイブロックとして決定するように構成される。
【０１７３】
代替的に、一実施例として、前記少なくとも１つの第１の基準信号リソースはＳＲＳリソースまたはＣＳＩ−ＲＳリソースである。
【０１７４】
代替的に、一実施例として、前記トランシーバ３２０は、前記第１のＤＣＩを受信する同時に、前記ネットワーク機器によって送信された第２のＤＣＩを受信するように構成される。
【０１７５】
代替的に、一実施例として、前記第２のＤＣＩは第２の基準信号リソースセット指示情報を含み、前記プロセッサ３１０は、前記第２の基準信号リソースセット指示情報に従って、第２の基準信号リソースセットを決定するように構成され、前記第２の基準信号リソースセットは前記第１の基準信号リソースセットと異なる。
【０１７６】
代替的に、一実施例として、前記第１のＤＣＩによってスケジューリングされた前記第１のアップリンクデータの伝送および前記第２のＤＣＩによってスケジューリングされた第２のアップリンクデータの伝送は、異なる復調基準信号（ＤＭＲＳ）ポートを使用する。
【０１７７】
本出願の実施例に係る端末機器３００は、本出願の実施例における端末機器２００に対応することができ、本出願の実施例に係る方法１００における対応する本体を実行することに対応することができ、端末機器３００における各ユニットの上記の操作および他の操作作および／または機能は、それぞれ図１における各方法の端末機器の対応するプロセスを実現するためであり、簡潔のために、ここでは繰り返さないことを理解されたい。
【０１７８】
したがって、本出願の実施例の端末機器は、ネットワーク機器によって送信された複数のＤＣＩを受信し、異なるＤＣＩは、異なるｐａｎｅｌでのアップリンク伝送をスケジューリングするために使用され、異なるＤＣＩで異なるリソースセットを指示することに従って、対応するｐａｎｅｌのアップリンクチャネル情報を決定することは、複数のｐａｎｅｌが独立した伝送パラメータを使用してデータの伝送を行うようにすることができ、それにより、マルチｐａｎｅｌ伝送の柔軟性およびアップリンクスペクトル効率を向上させることができる。
【０１７９】
本出願の前記方法の実施例はプロセッサに適用されてもよく、またはプロセッサによって実現されてもよいことを留意されたい。プロセッサは、信号処理機能を備えた集積回路チップであり得る。実現プロセスにおいて、上記の方法の実施例の各ステップは、プロセッサ内のハードウェアの集積論理回路またはソフトウェアの形の命令によって完了されることができる。上記のプロセッサは、汎用プロセッサ、デジタル信号プロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）または他のプログラマブルロジックデバイス、ディスクリートゲートまたはトランジスタロジックデバイス、ディスクリートハードウェアコンポーネントなどであってもよい。本開示の実施例の公開された各方法、ステップおよび論理ブロック図を実現または実行することができる。汎用プロセッサはマイクロプロセッサであってもよく、または前記プロセッサは任意の従来のプロセッサなどであってもよい。本出願の実施例を組み合たせて開示された方法のステップは、ハードウェア復号化プロセッサによって実行されたと直接に具現することができ、または復号化プロセッサにおけるハードウェアおよびソフトウェアモジュールの組み合わせによって実行される。ソフトウェアモジュールは、ランダムメモリ、フラッシュメモリ、読み取り専用メモリ、プログラム可能な読み取り専用メモリまたは電気的に消去可能なプログラマブルメモリ、レジスタ等の当技術分野の熟知する記憶媒体に配置されてもよい。前記記憶媒体はメモリに配置され、プロセッサはメモリにおける情報を読み取り、そのハードウェアと組み合わせて前記方法のステップを完了する。
【０１８０】
本出願の実施例におけるメモリは、揮発性メモリまたは不揮発性メモリであってもよく、または揮発性および不揮発性メモリ両者の両方を含んでもよいことを理解されたい。ここで、不揮発性メモリは、読み取り専用メモリ（ＲＯＭ：ｒｅａｄ−ｏｎｌｙ  ｍｅｍｏｒｙ）、プログラム可能な読み取り専用メモリ（ＰＲＯＭ：ｐｒｏｇｒａｍｍａｂｌｅ  ｒｏｍ）、消去可能なプログラム可能な読み取り専用メモリ（ＥＰＲＯＭ：ｅｒａｓａｂｌｅ  ＰＲＯＭ）、電気的消去可能なプログラム可能な読み取り専用メモリ（ＥＥＰＲＯＭ：ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：ｒａｎｄｏｍ  ａｃｃｅｓｓ  ｍｅｍｏｒｙ）であってもよい。前記メモリは、例示的であるが制限的ではない説明を通じて、例えば、スタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型同期ダイナミックランダムアクセスメモリ（ＥＳＤＲＡＭ：ｅｎｈａｎｃｅｄ  ＳＤＲＡＭ）、同期接続ダイナミックランダムアクセスメモリ（ＳＬＤＲＡＭ：ｓｙｎｃｈ  ｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）など、多くの形のＲＡＭが利用可能である。本明細書で説明されるシステムおよび方法のメモリは、これらおよび任意の他の適切なタイプのメモリを含むことが、これらに限定されないことを意図することを留意されたい。
【０１８１】
当業者は、本明細書で開示される実施例と組み合わせて説明された各例示のユニットおよびアルゴリズムステップは、電子ハードウェア、またはコンピュータソフトウェアと電子ハードウェアの組み合わせによって実現することができることを理解するであろう。これらの機能がハードウェアの形態で実行されるかソフトウェアの形で実行されるかは、技術的解決策の特定のアプリケーションと設計上の制約条件に依存する。専門技術者は、特定のアプリケーションごとに対して、異なる方法を使用して説明された機能を実現することができるが、このような実現は本出願の範囲を超えると見なされるべきではない。
【０１８２】
説明の便宜上および簡潔にするために、上記に説明されたシステム、装置およびユニットの具体的な作業プロセスは、前述の方法の実施例中の対応するプロセスを参照することができ、ここでは繰り返さないことを当業者は明確に理解することができる。
【０１８３】
本出願で提供されるいくつかの実施例では、開示されたシステム、装置および方法は、他の方法で実現されることができることを理解されたい。例えば、上記で説明された装置の実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、いくつかのインターフェース、装置またはユニットを介した間接結合または通信接続であり得、電気的、機械的または他の形態であり得る。
【０１８４】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際のニーズにしたがって、その中のユニットの一部または全部を選択して本実施例の技術案の目的を実現することができる。
【０１８５】
さらに、本出願の各実施例における各機能ユニットは１つの処理ユニットに統合されてもよく、または各ユニットが物理的に別々に存在してもよく、２つまたは２つ以上のユニットを１つのユニットに統合してもよい。
【０１８６】
前記機能がソフトウェア機能ユニットの形で実現され、独立した製品として販売または使用される場合、コンピュータ読み取り可能な記憶媒体に記憶することができる。このような理解に基づいて、本出願の技術的解決策は、本質的にまたは先行技術に対して寄与する部分または前記技術的解決策の一部は、ソフトウェア製品の形で具現されることができ、前記コンピュータソフトウェア製品は、１つの記憶媒体に記憶され、１台のコンピュータ機器（パーソナルコンピュータ、サーバ、またはネットワーク機器等であり得る）に本出願の各実施例に記載の方法の全部または一部のステップを実行させるためのいくつかの命令を含む。前述した記憶媒体は、Ｕディスク、モバイルハードディスク、読み取り専用メモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、磁気ディスクまたは光ディスク等のプログラムコードを記憶することができる様々な媒体を含む。
【０１８７】
上記の内容は、本出願の具体的な実施形態に過ぎないが、本出願の保護範囲はこれに限定されず、当業者は、本出願に開示された技術的範囲内で容易に想到し得る変更または置換は、すべて本出願の保護範囲内に含まれるべきである。したがって、本出願の保護範囲は、特許請求の保護範囲を基準とするべきである。
【図１】
2021513757.tif 000003
【図２】
2021513757.tif 000004
【図３】
2021513757.tif 000005
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
アップリンクデータの伝送のための方法であって、
ネットワーク機器によって送信された、第１のアップリンクデータの伝送をスケジューリングするために使用される第１のダウンリック制御情報（ＤＣＩ）を受信することであって、前記第１のＤＣＩは、第１の基準信号リソースセット指示情報および第１の基準信号リソース指示情報を含むことと、
前記第１の基準信号リソースセット指示情報に従って、第１の基準信号リソースセットを決定することであって、前記第１の基準信号リソースセットは、少なくとも１つの基準信号リソースを含むことと、
前記第１の基準信号リソース指示情報に従って、前記第１の基準信号リソースセットで少なくとも１つの第１の基準信号リソースを決定することと、
前記少なくとも１つの第１の基準信号リソースに従って、前記第１のアップリンクデータの伝送に使用される伝送パラメータを決定することとを含むことを特徴とする、前記アップリンクデータの伝送のための方法。
【請求項２】
前記方法は、
前記ネットワーク機器によって送信された第１の構成情報を受信することであって、前記第１の構成情報は、複数の基準信号リソースセットを指示するために使用されることをさらに含み、
前記第１の基準信号リソースセット指示情報に従って、第１の基準信号リソースセットを決定することは、
前記第１の基準信号リソースセット指示情報に従って、前記複数の基準信号リソースセットで前記第１の基準信号リソースセットを決定することを含むことを特徴とする、
請求項１に記載のアップリンクデータの伝送のための方法。
【請求項３】
前記複数の基準信号リソースセットは、複数のアンテナアレイブロックでの基準信号の伝送のために使用され、および／または、
前記複数の基準信号リソースセットは、複数の位相追跡基準信号（ＰＴＲＳ）ポートに１対１で対応することを特徴とする、
請求項２に記載のアップリンクデータの伝送のための方法。
【請求項４】
前記方法は、
前記複数の基準信号リソースセットと前記複数のＰＴＲＳポートとの間の対応関係に従って、前記第１の基準信号リソースセットに対応する第１のＰＴＲＳポートを決定することと、
前記第１のアップリンクデータの伝送に使用される物理リソースで、前記第１のＰＴＲＳポートを介してアップリンクＰＴＲＳを伝送することとをさらに含むことを特徴とする、
請求項３に記載のアップリンクデータの伝送のための方法。
【請求項５】
前記方法は、
前記複数の基準信号リソースセットと複数の物理アップリンク共有チャネル（ＰＵＳＣＨ）電力制御パラメータグループとの対応関係に従って、前記第１の基準信号リソースセットに対応する第１のＰＵＳＣＨ電力制御パラメータグループを決定することをさらに含むことを特徴とする、
請求項２ないし４のいずれか一項に記載のアップリンクデータの伝送のための方法。
【請求項６】
前記方法は、
前記第１の基準信号リソース指示情報に従って、前記第１のＰＵＳＣＨ電力制御パラメータグループで前記第１のＤＣＩによって指示された、ＰＵＳＣＨ伝送に使用される電力制御パラメータを決定することをさらに含むことを特徴とする、
請求項５に記載のアップリンクデータの伝送のための方法。
【請求項７】
前記第１のアップリンクデータの伝送に使用される前記伝送パラメータは、プリコーディング行列、伝送層の数、アンテナポートの数、送信ビーム、電力制御パラメータおよびアンテナアレイブロックのうちの少なくとも１つを含むことを特徴とする、
請求項１ないし６のいずれか一項に記載のアップリンクデータの伝送のための方法。
【請求項８】
端末機器であって、
ネットワーク機器によって送信された、第１のアップリンクデータの伝送をスケジューリングするために使用される第１のダウンリック制御情報（ＤＣＩ）を受信するように構成される受信ユニットであって、前記第１のＤＣＩは、第１の基準信号リソースセット指示情報および第１の基準信号リソース指示情報を含む受信ユニットと、
前記第１の基準信号リソースセット指示情報に従って、第１の基準信号リソースセットを決定するように構成される決定ユニットであって、前記第１の基準信号リソースセットは、少なくとも１つの基準信号リソースを含む決定ユニットとを含み、
前記決定ユニットは、さらに、前記第１の基準信号リソース指示情報に従って、前記第１の基準信号リソースセットで少なくとも１つの第１の基準信号リソースを決定するように構成され、
前記決定ユニットは、さらに、前記少なくとも１つの第１の基準信号リソースに従って、前記第１のアップリンクデータの伝送に使用される伝送パラメータを決定するように構成されることを特徴とする、前記端末機器。
【請求項９】
前記受信ユニットは、さらに、
前記ネットワーク機器によって送信された第１の構成情報を受信するように構成され、前記第１の構成情報は、複数の基準信号リソースセットを指示するために使用され、
前記決定ユニットは、具体的に、
前記第１の基準信号リソースセット指示情報に従って、前記複数の基準信号リソースセットで前記第１の基準信号リソースセットを決定するように構成されることを特徴とする、
請求項８に記載の端末機器。
【請求項１０】
前記複数の基準信号リソースセットは、複数のアンテナアレイブロックでの基準信号の伝送のために使用されることを特徴とする、
請求項９に記載の端末機器。
【請求項１１】
前記複数の基準信号リソースセットは、複数の位相追跡基準信号（ＰＴＲＳ）ポートに１対１で対応することを特徴とする、
請求項９に記載の端末機器。
【請求項１２】
前記決定ユニットは、さらに、
前記複数の基準信号リソースセットと前記複数のＰＴＲＳポートとの間の対応関係に従って、前記第１の基準信号リソースセットに対応する第１のＰＴＲＳポートを決定し、
前記第１のアップリンクデータの伝送に使用される物理リソースで、前記第１のＰＴＲＳポートを介してアップリンクＰＴＲＳを伝送するように構成されることを特徴とする、
請求項１１に記載の端末機器。
【請求項１３】
前記決定ユニットは、さらに、
前記複数の基準信号リソースセットと複数の物理アップリンク共有チャネル（ＰＵＳＣＨ）電力制御パラメータグループとの対応関係に従って、前記第１の基準信号リソースセットに対応する第１のＰＵＳＣＨ電力制御パラメータグループを決定するように構成されることを特徴とする、
請求項９ないし１２のいずれか一項に記載の端末機器。
【請求項１４】
前記決定ユニットは、さらに、
前記第１の基準信号リソース指示情報に従って、前記第１のＰＵＳＣＨ電力制御パラメータグループで前記第１のＤＣＩによって指示された、ＰＵＳＣＨ伝送に使用される電力制御パラメータを決定するように構成されることを特徴とする、
請求項１３に記載の端末機器。
【請求項１５】
コンピュータ記憶媒体であって、
プロセッサによって実行されるときに、請求項１ないし７のいずれか一項に記載の方法を実行するコンピュータ実行可能命令が格納される、前記コンピュータ記憶媒体。
【国際調査報告】
2021513757.tif 000006
2021513757.tif 000007
2021513757.tif 000008
2021513757.tif 000009